(57)【要約】【課題】より正確な血圧の測定と、より優れたユーザの利便性を実現する。【解決手段】被測定者の心電に関する心電情報と、被測定者の脈波に関する脈波情報と、に基づいて、血圧値を算出する血圧算出部と、被測定者の胸部に接触して前記心電を測定する心電測定部と、被測定者の脈波検出部位から前記脈波を測定する脈波測定部と、を有する胸部接触用測定部と、を備える、計測装置が提供される。【選択図】図２
2014012072.tif 000002
【特許請求の範囲】
【請求項１】
被測定者の心電に関する心電情報と、被測定者の脈波に関する脈波情報と、に基づいて、血圧値を算出する血圧算出部と、
被測定者の胸部に接触して前記心電を測定する心電測定部と、被測定者の脈波検出部位から前記脈波を測定する脈波測定部と、を有する胸部接触用測定部と、
を備える、計測装置。
【請求項２】
前記心電測定部と胸部との接触状態に関する情報を含む接触情報を取得する接触情報取得部を更に備える、
請求項１に記載の計測装置。
【請求項３】
前記接触情報に基づいて、前記心電測定部による測定を制御する測定制御部を更に備える、
請求項２に記載の計測装置。
【請求項４】
少なくとも前記接触情報に基づいて、前記心電情報の信頼度及び前記脈波情報の信頼度の少なくともいずれかを判断する測定状態判断部を更に備える、
請求項２に記載の計測装置。
【請求項５】
前記脈波測定部は、前記心電測定部と胸部との接触面と対向する面に設けられる、
請求項１に記載の計測装置。
【請求項６】
前記心電測定部は、少なくとも２つ以上の電極を有し、
前記脈波測定部は、２つの前記電極の間に対応する位置に設けられる、請求項５に記載の計測装置。
【請求項７】
前記心電測定部は、少なくとも２つ以上の電極を有し、
前記接触情報は、少なくとも２つの前記電極間のインピーダンスに関する情報を含む、請求項２に記載の計測装置。
【請求項８】
前記胸部接触用測定部は、被測定者の心音を測定する心音測定部、を更に有し、
前記血圧算出部は、測定された前記心音に関する情報を更に利用して、血圧値を算出する、
請求項１に記載の計測装置。
【請求項９】
前記胸部接触用測定部は、被測定者の体表面温度を測定する体表面温度測定部、を更に有し、
前記血圧算出部は、測定された前記体表面温度に関する情報を更に利用して、血圧値を算出する、
請求項１に記載の計測装置。
【請求項１０】
前記脈波は、脈波測定部の光照射部と光入射部との間に、前記脈波検出部位が挟まれることによって測定される、
請求項１に記載の計測装置。
【請求項１１】
前記心電測定部は、着脱自在な湿式電極を有する、
請求項１に記載の計測装置。
【請求項１２】
前記心電測定部は、少なくとも２つ以上の着脱自在な乾式電極を有する、
請求項１に記載の計測装置。
【請求項１３】
前記心電測定部と前記脈波測定部とは、一体的に構成される、
請求項１に記載の計測装置。
【請求項１４】
前記脈波測定部は、前記胸部接触用測定部から着脱自在である、
請求項１に記載の計測装置。
【請求項１５】
被測定者の脈波に関する脈波情報と、胸部に接触した心電測定部から入力された被測定者の心電に関する心電情報と、を取得することと、
前記脈波情報と、前記心電情報と、に基づいて、血圧値を算出することと、
を含む、計測方法。
【請求項１６】
コンピュータに、
被測定者の心電に関する心電情報と、被測定者の脈波に関する脈波情報と、に基づいて、血圧値を算出する血圧算出機能と、
被測定者の胸部に接触して前記心電を測定する心電測定部と、被測定者の脈波検出部位から前記脈波を測定する脈波測定部と、を有する胸部接触用測定機能と、
を実現させるためのプログラム。
【請求項１７】
コンピュータに、
被測定者の心電に関する心電情報と、被測定者の脈波に関する脈波情報と、に基づいて、血圧値を算出する血圧算出機能と、
被測定者の胸部に接触して前記心電を測定する心電測定部と、被測定者の脈波検出部位から前記脈波を測定する脈波測定部と、を有する胸部接触用測定機能と、
を実現させるためのプログラムを記録したコンピュータ読取可能な記録媒体。
【請求項１８】
被測定者の心電に関する心電情報と、被測定者の脈波に関する脈波情報と、に基づいて、血圧値を算出する血圧算出部と、
被測定者の胸部に接触させ前記心電を測定する心電測定部と、被測定者の脈波検出部位から前記脈波を測定する脈波測定部と、を有する胸部接触用測定部と、
を備える、計測システム。
【請求項１９】
被測定者の心電に関する心電情報と、被測定者の脈波に関する脈波情報と、に基づいて、血圧値を算出する血圧算出部、を有する演算サーバと、
被測定者の胸部に接触して前記心電を測定する心電測定部と、被測定者の脈波検出部位から前記脈波を測定する脈波測定部と、を有する胸部接触用測定部、を備える測定装置と、
を備える、計測システム。
【発明の詳細な説明】
【技術分野】
【０００１】
本開示は、計測装置、計測方法、プログラム、記憶媒体及び計測システムに関する。
【背景技術】
【０００２】
従来、血圧を測定するための方式として、空気圧を利用して直接血圧を測定する直接測定方式が知られている。この直接測定方式では、腕等に巻き付けられたカフと呼ばれるチューブ内に、空気ポンプにより空気が供給され、血管に圧力が加えられる。そして、カフ内に供給される空気量が調整され、血管に加えられる圧力が変化することで、血液の流動開始、又は流動停止に対応する圧力値が求まり、血圧が測定される。しかし、直接測定方式の血圧計は、カフ、空気ポンプ、及び血液の流動開始や流動停止を検知する検知器等を必要とするため、携帯する用途には向いていなかった。また、直接測定方式の血圧計は、測定に手間と時間が掛かるため、日常生活において気軽に血圧を測定することが困難であった。
【０００３】
そこで、脈派伝播速度（ＰＷＶ：Ｐｕｌｓｅ  Ｗａｖｅ  Ｖｅｌｏｃｉｔｙ）を利用して血圧を測定する、いわゆる脈波伝播方式の血圧計が提案されている。例えば、特許文献１には、腕と指とを電極に接触させることで測定された心電波形（心電図）と、指で測定された脈波とに基づいて、脈派伝播速度を算出し、血圧を測定する腕時計型の血圧計が開示されている。また、特許文献２には、腕の血管で測定された脈波と指の血管で測定された脈波との時間差に基づいて、血圧を測定する腕時計型の血圧計が開示されている。
【先行技術文献】
【特許文献】
【０００４】
【特許文献１】特開２００２−１７２０９４号公報
【特許文献２】特開２００４−２０１８６８号公報
【発明の概要】
【発明が解決しようとする課題】
【０００５】
しかし、人の心臓の位置や角度には個人差が存在するため、特許文献１に開示されている技術では、被測定者によっては、心電波形を測定できない場合があった。また、特許文献１に開示されている血圧計は腕時計型であるため、例えばベルトに緩み等があると、電極と測定部位とが十分に接触せず、測定が正確に行われない可能性があった。
【０００６】
また、特許文献２に開示されている技術では、指で測定された脈波に関する情報を、腕に装着した血圧計本体に送信するためのケーブルが設けられているため、被測定者の使い勝手の観点から、日常的に装着し続けることは困難であった。また、特許文献２に開示されている血圧計は腕時計型であるため、特許文献１に開示されている血圧計と同様、例えばベルトに緩み等があると、測定が正確に行われない可能性があった。
【０００７】
そこで、本開示では、より正確な血圧の測定と、より優れたユーザの利便性を実現可能な、新規かつ改良された計測装置、計測方法、プログラム、記憶媒体及び計測システムを提案する。
【課題を解決するための手段】
【０００８】
本開示によれば、被測定者の心電に関する心電情報及び被測定者の脈波に関する脈波情報に基づいて血圧値を算出する血圧算出部と、被測定者の胸部に接触して前記心電を測定する心電測定部及び被測定者の脈波検出部位から前記脈波を測定する脈波測定部を有する胸部接触用測定部と、を備える、計測装置が提供される。
【０００９】
また、本開示によれば、被測定者の脈波に関する脈波情報及び胸部に接触した心電測定部から入力された被測定者の心電に関する心電情報を取得することと、前記脈波情報及び前記心電情報に基づいて血圧値を算出することと、を含む、計測方法が提供される。
【００１０】
また、本開示によれば、コンピュータに、被測定者の心電に関する心電情報及び被測定者の脈波に関する脈波情報に基づいて血圧値を算出する血圧算出機能と、被測定者の胸部に接触して前記心電を測定する心電測定部及び被測定者の脈波検出部位から前記脈波を測定する脈波測定部を有する胸部接触用測定機能と、を実現させるためのプログラムが提供される。
【００１１】
また、本開示によれば、コンピュータに、被測定者の心電に関する心電情報及び被測定者の脈波に関する脈波情報に基づいて血圧値を算出する血圧算出機能と、被測定者の胸部に接触して前記心電を測定する心電測定部及び被測定者の脈波検出部位から前記脈波を測定する脈波測定部を有する胸部接触用測定機能と、を実現させるためのプログラムを記録したコンピュータ読取可能な記録媒体が提供される。
【００１２】
また、本開示によれば、被測定者の心電に関する心電情報及び被測定者の脈波に関する脈波情報に基づいて血圧値を算出する血圧算出部と、被測定者の胸部に接触して前記心電を測定する心電測定部及び被測定者の脈波検出部位から前記脈波を測定する脈波測定部を有する胸部接触用測定部と、を備える、計測システムが提供される。
【００１３】
また、本開示によれば、被測定者の心電に関する心電情報及び被測定者の脈波に関する脈波情報に基づいて血圧値を算出する血圧算出部を有する演算サーバと、被測定者の胸部に接触して前記心電を測定する心電測定部及び被測定者の脈波検出部位から前記脈波を測定する脈波測定部を有する胸部接触用測定部を備える測定装置と、を備える、計測システムが提供される。
【００１４】
本開示によれば、胸部接触用測定部が、心電測定部と脈波測定部とを有する。そして、心電測定部が被測定者の胸部に接触して心電を測定し、脈波測定部が、被測定者の脈波検出部位から脈波を測定する。また、血圧算出部が、被測定者の心電に関する心電情報と、被測定者の脈波に関する脈波情報とに基づいて、血圧値を算出する。
【発明の効果】
【００１５】
以上説明したように本開示によれば、より正確な血圧の測定と、より優れたユーザの利便性を実現することが可能となる。
【図面の簡単な説明】
【００１６】
【図１Ａ】従来の脈波伝播方式の血圧計の一構成例を示す概略図である。
【図１Ｂ】従来の脈波伝播方式の血圧計の一構成例を示す概略図である。
【図１Ｃ】従来の脈波伝播方式の血圧計の一構成例を示す概略図である。
【図２】本開示の第１の実施形態に係る計測装置の概略構成を示す機能ブロック図である。
【図３】図２における計測装置の胸部接触用測定部の概略構成を示す機能ブロック図である。
【図４】心電波形、及び脈波がプロットされたグラフ図である。
【図５】図４における時刻Ｔ１、及び時刻Ｔ２近傍を拡大した拡大図である。
【図６】脈波伝播速度と収縮血圧（最高血圧）値との関係を示す図である。
【図７】キャリブレーション用の血圧計の一例を示す概略図である。
【図８Ａ】本実施形態に係る計測装置の外観例を示す背面図である。
【図８Ｂ】本実施形態に係る計測装置の外観例を示す正面図である。
【図８Ｃ】本実施形態に係る計測装置の外観例を示す下面図である。
【図８Ｄ】本実施形態に係る計測装置の外観例を示す側面図である。
【図８Ｅ】脈波を測定する際の、本実施形態に係る計測装置と脈波測定部位との位置関係を示す説明図である。
【図９Ａ】本実施形態に係る乾式電極の外観例を示す背面図である。
【図９Ｂ】図９Ａに示す乾式電極の上面図である。
【図９Ｃ】本実施形態に係る湿式電極の外観例を示す背面図である。
【図９Ｄ】図９Ｃに示す湿式電極の上面図である。
【図１０Ａ】本実施形態に係る計測装置が乾式電極を有する場合の使用方法の一例を示す説明図である。
【図１０Ｂ】本実施形態に係る計測装置が湿式電極を有する場合の使用方法の一例を示す説明図である。
【図１１Ａ】本開示の第２の実施形態に係る計測装置の外観例を示す背面図である。
【図１１Ｂ】本開示の第２の実施形態に係る計測装置の外観例を示す正面図である。
【図１１Ｃ】本開示の第２の実施形態に係る計測装置の外観例を示す側面図である。
【図１１Ｄ】脈波を測定する際の、本開示の第２の実施形態に係る計測装置と脈波測定部位との位置関係を示す説明図である。
【図１２】本開示の第２の実施形態に係る計測装置が乾式電極を有する場合の使用方法の一例を示す説明図である。
【図１３】本開示の第１の実施形態、及び第２の実施形態に係る計測方法の処理手順を示すフロー図である。
【図１４】本開示の第１の実施形態、及び第２の実施形態に係る計測装置の異なる構成の一例を示す機能ブロック図である。
【図１５】図１４における計測装置の胸部接触用測定部の概略構成を示す機能ブロック図である。
【図１６】図１４における計測装置の外観例を示す背面図である。
【図１７】本開示の第１の実施形態、及び第２の実施形態に係る計測システムの概略構成を示す機能ブロック図である。
【図１８Ａ】本開示の第１の実施形態、及び第２の実施形態に係る計測装置を被測定者が両手で保持した様子を示す概略図である。
【図１８Ｂ】図１８Ａにおける被測定者の手元を、被測定者側から見た様子を示す拡大図である。
【図１８Ｃ】図１８Ａにおける被測定者の手元を、被測定者の逆側から見た様子を示す拡大図である。
【図１９】本開示の第１の実施形態、及び第２の実施形態に係る情報処理装置のハードウェア構成の一例を示す機能ブロック図である。
【発明を実施するための形態】
【００１７】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１８】
なお、説明は以下の順序で行うものとする。
１．発明者による検討
２．第１の実施形態
２．１．計測装置の構成
２．２．血圧算出方法
２．３．計測装置の外観例
３．第２の実施形態
４．計測方法の処理手順
５．第１の実施形態、及び第２の実施形態における変形例
５．１．胸部接触用測定部における変形例
５．２．計測装置の構成における変形例
５．３．計測装置の使用方法における変形例
５．４．その他の変形例
６．計測装置のハードウェア構成
７．まとめ
【００１９】
＜１．発明者による検討＞
本開示の好適な実施の形態について詳細に説明するに先立ち、本発明者が行った、一般的な脈波伝播方式の血圧計の検討結果について、詳しく説明する。
【００２０】
図１Ａは、上記特許文献１に記載された脈波伝播方式の血圧計の一構成例を示す概略図である。図１Ａを参照すると、脈波伝播方式の血圧計６００は、腕時計型の血圧計であり、文字盤の脇にあたる位置に第１の電極６０１と、脈波測定用検出窓６０３が設けられている。また、文字盤の裏にあたる、腕部と接触する位置に第２の電極６０２が設けられている。ここで、脈波測定用検出窓６０３は、光を用いて脈波を検出するための光学センシング部である。血圧を測定する際には、被測定者は、例えば血圧計６００を装着していない方の手の指で、第１の電極６０１、及び脈波測定用検出窓６０３に同時に触れる。第２の電極６０２は、腕時計型の血圧計６００を装着している腕に接触しているので、２つの電極間の電位差から、心電に関するデータが測定される。一方、脈波測定用検出窓６０３に触れている指から脈波に関するデータが測定される。
【００２１】
以上説明したように、図１Ａに示す脈波伝播方式の血圧計６００では、心電に関するデータが、被測定者の指と腕との間の電位差として測定される。しかし、心電に関するデータが、被測定者の指と腕との間で測定される場合には、人の心臓の位置や角度には個人差が存在するため、被測定者によっては、心電に関するデータが正確に測定されない可能性がある。また、腕に巻いたベルトの緩み等によって、第２の電極６０２と腕との接触が不安定になり、測定が正確に行われない可能性がある。
【００２２】
図１Ｂは、上記特許文献２に記載された脈波伝播方式の血圧計の一構成例を示す概略図である。図１Ｂを参照すると、脈波伝播方式の血圧計７００は、腕時計型の血圧計であり、ベルトにあたる位置に第１の脈波測定部７０１を備えている。また、血圧計７００は、任意の指に装着可能な第２の脈波測定部７０２を更に備えている。更に、第２の脈波測定部７０２は、腕時計型の血圧計７００の本体とケーブル７０３によって接続されている。血圧計７００は、第１の脈波測定部７０１において測定された脈波と、第２の脈波測定部７０２において測定された脈波との時間差から脈波伝播時間（速度）を求め、血圧を算出することができる。
【００２３】
以上説明したように、図１Ｂに示す脈波伝播方式の血圧計７００では、常時血圧を測定し続けようと思うと、第２の脈波測定部７０２を常に指にはめ続けなくてはならない。また、ケーブル７０３が設けられているため、被測定者の使い勝手の観点から、日常的に装着し続けることは困難である。また、図１Ａに示す脈波伝播方式の血圧計６００と同様に、腕に巻いたベルトの緩み等によって、第１の脈波測定部７０１における脈波測定が正確に行われない可能性がある。
【００２４】
図１Ｃは、いわゆるハンディタイプの脈波伝播方式の血圧計の一構成例を示す概略図である。図１Ｃを参照すると、脈波伝播方式の血圧計８００は、パネル状の形状を有し、パネルの一面の一部領域に、第１の電極８０１と、脈波測定用検出窓８０３が設けられている。また、パネルの一側面の一部領域に、第２の電極８０２が設けられている。ここで、脈波測定用検出窓８０３は、光を用いて脈波を検出するための光学センシング部である。血圧を測定する際には、被測定者は、例えば血圧計８００を保持している手で、第２の電極８０２に触れる。また、血圧計８００を保持していない方の手の指で、第１の電極８０１、及び脈波測定用検出窓８０３に同時に触れる。２つの電極間の電位差から、心電に関するデータが測定され、脈波測定用検出窓８０３に触れている指から脈波に関するデータが測定される。
【００２５】
以上説明したように、図１Ｃに示す脈波伝播方式の血圧計８００では、心電に関するデータが、被測定者の指と手の間の電位差として測定される。従って、図１Ａに示す脈波伝播方式の血圧計６００と同様に、被測定者によっては、心電に関するデータが正確に測定されない可能性がある。また、血圧計８００はパネル状の形状を有するため、気軽に持ち運び、常時血圧を測定するような使用方法には向いていない。
【００２６】
以上説明したように、一般的な脈波伝播方式の血圧計では、被測定者によっては心電に関するデータを正確に測定できない。また、一般的な脈波伝播方式の血圧計は、日常的に携帯して、気軽に血圧測定を行うような使用方法には向いていない。
【００２７】
以上のように、一般的な脈波伝播方式の血圧計では、測定される血圧の正確性やユーザの利便性に改良の余地があった。そこで、本発明者は、より精度の高い血圧の測定と、より優れたユーザの利便性を実現可能な計測装置について検討を行った結果、以下に詳述する計測装置、計測方法、プログラム、記憶媒体及び計測システムに想到した。
【００２８】
＜２．第１の実施形態＞
［２．１．計測装置の構成］
まず、図２を参照して、本開示の第１の実施形態に係る計測装置の概略構成について説明する。図２は、本開示の第１の実施形態に係る計測装置の概略構成を示す機能ブロック図である。
【００２９】
図２を参照すると、本実施形態に係る計測装置１０は、胸部接触用測定部１００、制御部２００、記憶部３００、及び表示部４００を備える。
【００３０】
胸部接触用測定部１００は、被測定者の生体活動に関する各種のデータを測定する。ここで、生体活動に関する各種のデータ（生体情報）とは、例えば、心電（心電図）、脈拍、心拍、呼吸、体温等に関するデータ（情報）であってもよい。胸部接触用測定部１００は、例えば、心電測定部１１０、及び脈波測定部１２０を有する。
【００３１】
心電測定部１１０は、被測定者の胸部に接触し、胸部測定部位から被測定者の心電に関するデータを測定する。脈波測定部１２０は、被測定者の脈波検出部位から、被測定者の脈波に関するデータを測定する。ここで、心電に関するデータ（心電情報）とは、例えば、被測定者の心拍、心電波形、心電図等に関するデータ（情報）を含んでもよい。また、脈波に関するデータ（脈波情報）とは、脈波検出部位における脈拍、脈波、血流量等に関するデータ（情報）を含んでもよい。また、以下の説明において、心電測定とは、被測定者の心電に関するデータを測定することを示し、脈波測定とは、被測定者の脈波に関するデータを測定することを示すこととする。心電測定部１１０、及び脈波測定部１２０の構成については、図３を参照して後で詳しく説明する。
【００３２】
制御部２００は、計測装置１０を統括的に制御するものであり、例えば、胸部接触用測定部１００が測定した生体活動に関する各種のデータを処理する。具体的には、制御部２００は、胸部接触用測定部１００が測定した生体活動に関する各種のデータに基づいて、被測定者の血圧を算出する。また、制御部２００は、胸部接触用測定部１００と被測定者の胸部測定部位との接触状態に関する情報（接触情報）に基づいて、胸部接触用測定部１００による測定を制御する。また、制御部２００は、胸部接触用測定部１００が測定した生体活動に関する各種のデータの信頼度を判断する。更に、制御部２００は、生体活動に関する各種のデータを処理した結果を、表示部４００に表示する制御を行う。
【００３３】
ここで、制御部２００の機能、及び構成について詳細に説明する。制御部２００は、生体情報取得部２１０、血圧算出部２２０、表示制御部２３０、接触情報取得部２４０、測定状態判断部２５０、及び測定制御部２６０を有する。
【００３４】
生体情報取得部２１０は、胸部接触用測定部１００によって測定された生体活動に関する各種のデータ、すなわち生体情報を取得する。例えば、生体情報取得部２１０は、心電測定部１１０が測定した被測定者の心電に関するデータ、すなわち心電情報を取得する。また、生体情報取得部２１０は、脈波測定部１２０が測定した被測定者の脈波に関する測定データ、すなわち脈波情報を取得してもよい。更に、生体情報取得部２１０は、取得した生体情報を、血圧算出部２２０、測定状態判断部２５０、及び測定制御部２６０に送信する。
【００３５】
血圧算出部２２０は、生体情報取得部２１０から送信された生体情報に基づいて、被測定者の血圧値を算出する。例えば、血圧算出部２２０は、被測定者の心電情報、及び脈波情報に基づいて被測定者の脈波伝播時間（速度）を算出し、その脈波伝播時間（速度）に基づいて血圧値を算出する。具体的な血圧算出方法については、［２．２．血圧算出方法］で詳しく説明する。また、血圧算出部２２０は、算出した血圧値に関する情報を、例えば表示制御部２３０に送信する。
【００３６】
表示制御部２３０は、制御部２００によって処理される各種の情報や、それらの情報を処理した結果を、表示部４００に表示する制御を行う。例えば、表示制御部２３０は、血圧算出部２２０によって算出された血圧値を、表示部４００に表示する制御を行う。また、表示制御部２３０は、被測定者の生体情報、例えば心電情報、脈波情報等を血圧算出部２２０から受信し、それらの生体情報を表示部４００に表示する制御を行ってもよい。また、表示制御部２３０は、後述する測定状態判断部２５０によって判断された、被測定者の生体情報の信頼度に関する情報を、表示部４００に表示する制御を行ってもよい。また、表示制御部２３０は、後述する血圧算出方法において行われるキャリブレーションに関する案内等を表示部４００に表示する制御を行ってもよい。
【００３７】
接触情報取得部２４０は、胸部接触用測定部１００と被測定者の胸部測定部位との接触状態に関する情報である接触情報を取得する。ここで、接触情報は、心電測定部１１０と被測定者の胸部測定部位との接触状態に関する情報であってもよい。また、接触情報は、心電測定部１１０と被測定者の胸部測定部位との接触有無に関する情報を含んでもよい。また、接触情報は、心電測定部１１０と被測定者の胸部測定部位とが接触している時間に関する情報を含んでもよい。更に、接触情報は、心電測定部１１０が被測定者の胸部測定部位に押圧される強さに関する情報を含んでもよい。接触情報取得部２４０は、取得した接触情報を測定状態判断部２５０、及び測定制御部２６０に送信する。
【００３８】
測定状態判断部２５０は、受信した生体情報、及び接触情報に基づいて、胸部接触用測定部１００によって測定された生体活動に関する各種のデータの信頼度を判断する。具体的には、測定状態判断部２５０は、接触情報に含まれる、心電測定部１１０が被測定者の胸部測定部位に押圧される強さに応じて、例えば、その押し付け強さが予め設定されたしきい値よりも大きいかどうかで、被測定者の心電に関するデータが適切に測定されているかどうかを判断してもよい。心電測定部１１０が被測定者の胸部測定部位に押圧される強さを測定する方法については、図３を参照して、後で詳しく説明する。
【００３９】
ここで、脈波測定部１２０は、例えば、胸部接触用測定部１００に対して、心電測定部１１０と胸部との接触面と対向する面に設けられる。心電測定部１１０と脈波測定部１２０とが上記位置関係にある場合は、胸部接触用測定部１００を被測定者の胸部の前に保持し、被測定者の脈波検出部位を脈波測定部１２０に接触させる、又は押圧することで、心電測定部１１０が被測定者の胸部測定部位に接触する、又は押圧されることになる。従って、接触情報は、脈波検出部位と脈波測定部１２０との接触状態に関する情報（接触有無、押圧する強さ等）を間接的に含んでもよい。
【００４０】
接触情報が、脈波検出部位と脈波測定部１２０との接触状態に関する情報を含む場合、測定状態判断部２５０は、接触情報に含まれる、心電測定部１１０が被測定者の胸部測定部位に押圧される強さに応じて、例えば、その強さが予め設定されたしきい値よりも大きいかどうかで、被測定者の脈波に関するデータが適切に測定されているかどうかを判断してもよい。ここで、測定状態判断部２５０が判断基準として用いる上記のしきい値は、特に限定されるものではないが、例えば、統計的に取得された過去の測定データ等に基づいて、適宜設定することができる。また、これらのしきい値は、被測定者が、測定を開始する前に自由に設定してもよい。
【００４１】
また、測定状態判断部２５０は、接触情報のほかに、測定された被測定者の心電に関するデータ、及び／又は脈波に関するデータを、過去に測定されたデータと比較することで、これらのデータの信頼度を判断してもよい。例えば、測定された被測定者の心電に関するデータ、及び／又は脈波に関するデータが、過去に測定されたデータと著しく異なる場合には、測定状態判断部２５０は、測定が適切に行われていないと判断してもよい。
【００４２】
測定状態判断部２５０は、判断した、被測定者の生体情報の信頼度に関する情報を、表示制御部２３０、及び測定制御部２６０に送信する。
【００４３】
測定制御部２６０は、胸部接触用測定部１００による生体活動に関する各種のデータの測定を制御する。具体的には、測定制御部２６０は、接触情報取得部２４０から受信した接触情報に基づき、例えば心電測定部１１０が胸部測定部位に接触したときに、心電に関するデータの測定が開始されるように、心電測定部１１０を制御してもよい。また、このように接触情報に基づいて心電測定部１１０による測定が開始される場合には、心電測定部１１０と胸部測定部位との接触が検知されるまでは、計測装置１０が電源待機状態（ＰＯＷＥＲセーブ状態）であってもよい。ここで、電源待機状態とは、例えば心電測定部１１０と胸部測定部位との接触を検知するための構成以外が、機能していない（電源オフしている）状態のことを言う。計測装置１０が電源待機状態から復帰する制御、及び計測装置１０を電源待機状態に移行する制御は、例えば制御部２００が行ってもよい。
【００４４】
更に、測定制御部２６０は、接触情報に基づいて、例えば心電測定部１１０と胸部測定部位とが離れたときに、心電に関するデータの測定が終了されるように、心電測定部１１０を制御してもよい。このように接触情報に基づいて心電測定部１１０による測定が終了される場合には、心電測定部１１０と胸部測定部位とが離れるに伴い、計測装置１０が電源待機状態に移行するようにしてもよい。
【００４５】
また、測定制御部２６０は、測定状態判断部２５０から受信した生体情報の信頼度に関する情報に基づいて、胸部接触用測定部１００による測定を制御してもよい。例えば、測定制御部２６０は、心電測定部１１０によって心電測定が適切に行われたと判断された場合には測定を終了し、適切に行われなかったと判断された場合には再度測定を行うように、心電測定部１１０を制御してもよい。また、例えば、測定制御部２６０は、同様に、脈波測定部１２０による脈波測定が適切に行われたと判断された場合には測定を終了し、適切に行われなかったと判断された場合には再度測定を行うように、脈波測定部１１０を制御してもよい。
【００４６】
以上、本実施形態に係る制御部２００の概略構成について詳細に説明した。ここで、制御部２００の構成は、図２に示す例に限定されない。上記説明した機能を果たす限りにおいて、制御部２００は、どのような機能ブロックによって構成されてもよい。
【００４７】
次に、本実施形態に係る記憶部３００について説明する。記憶部３００は、胸部接触用測定部１００が測定した生体活動に関する各種のデータ、及び／又は制御部２００が処理した各種のデータを記憶する。記憶部３００は、例えば、胸部接触用測定部１００によって測定された心電に関するデータ、脈波に関するデータ、及び接触情報を記憶する。また、記憶部３００は、血圧算出部２２０によって算出された血圧値に関する情報、及び／又は測定状態判断部２５０によって判断された生体情報の信頼度に関する情報を記憶してもよい。
【００４８】
また、記憶部３００は、後述する血圧算出方法において用いられる計算式、パラメータ（係数）、定数値等に関する情報を記憶してもよい。血圧算出部２２０は、記憶部３００に記憶された計算式、パラメータ（係数）、定数値等に関する情報を参照することで、血圧値を算出することができる。
【００４９】
また、図２では、記憶部３００が、計測装置１０の内部に設けられる例を示しているが、本実施形態はこの例に限定されない。例えば、計測装置１０は、外部機器接続用の接続ポート（図示しない）を更に備え、この接続ポートを介して、外部に設けられた外部記憶部（図示しない）と接続されてもよい。計測装置１０が外部記憶部と接続される場合、記憶部３００に記憶され得る上記で説明した各種の情報は、外部記憶部に記憶されてもよい。ここで、例えば、接続ポートはメモリカードコネクタであってもよく、外部記憶部はメモリカードであってもよい。
【００５０】
表示部４００は、表示制御部２３０の制御により、制御部２００によって処理される各種の情報を表示する。表示部４００は、例えばディスプレイであってもよい。表示部４００がディスプレイである場合、表示部４００は、測定された心電に関するデータや脈波に関するデータ、算出された血圧値等を数値、グラフ等の形式で表示してもよい。また、ディスプレイには、心電測定部１１０と胸部測定部位との接触状態や、測定された生体活動に関するデータの信頼度に関する情報（生体活動に関するデータが適切に測定されているかどうか）が、文字、数字、記号等で表示されてもよい。
【００５１】
また、表示部４００は、発光ダイオード（ＬＥＤ：Ｌｉｇｈｔ  Ｅｍｉｔｔｉｎｇ  Ｄｉｏｄｅ）であってもよい。表示部４００がＬＥＤである場合、例えば、心電情報に含まれる心電波形や、脈波情報に含まれる脈波の周期に合わせて、ＬＥＤが点滅するようにしてもよい。また、計測装置１０が電源待機状態であるときにはＬＥＤが消灯し、電源待機状態でないときにはＬＥＤが点灯するようにしてもよい。また、測定された生体活動に関するデータの信頼度に関する情報に基づいて、例えば、心電に関するデータが適切に測定されていない場合には、例えば異なる色のＬＥＤが点灯する等、その旨を警告する表示をしてもよい。
【００５２】
また、計測装置１０は、例えばスピーカ、及びヘッドホン等によって構成される音声出力部（図示しない）を更に備えてもよい。計測装置１０が音声出力部を備える場合、上述した表示部４００のＬＥＤが行う各種の注意喚起、警告等を、音声出力部がアラーム音等を出力することで実現してもよい。
【００５３】
また、本実施形態に係る計測装置１０は、各種の外部機器と相互に情報を送受信する通信部（図示しない）を更に備えてもよい。例えば、通信部は、胸部接触用測定部１００が測定した生体活動に関する各種のデータ、及び／又は、制御部２００が処理した各種のデータを、外部機器に送信する。具体的には、通信部は、胸部接触用測定部１００が測定した心電に関するデータ、及び／又は脈波に関するデータを外部機器に送信してもよい。また、通信部は、算出された血圧値に関する情報を外部機器に送信してもよい。更に、通信部は、心電測定部１１０と胸部測定部位との接触状態に関する情報や、測定された生体活動に関するデータの信頼度に関する情報を外部機器に送信してもよい。ここで、通信部が外部機器に各種のデータを送信するタイミングは、例えば、生体活動に関する各種のデータが測定される度にリアルタイムで送信してもよいし、一連の血圧測定処理が終了したときに各種のデータをまとめて送信してもよい。
【００５４】
また、通信部は、後述する血圧算出方法に用いられる計算式、パラメータ（係数）、定数値等に関する情報を受信し、記憶部３００、又は上述した外部記憶部に格納してもよい。従って、通信部を介して、これら計算式、パラメータ（係数）、定数値等を更新することができる。
【００５５】
また、通信部が有する通信方式は、有線、無線を問わず、多様な通信方式が適用されてよい。通信部が無線伝送機能を有する場合、無線伝送の方式は、例えば近距離無線通信システムであるＢｌｕｅｔｏｏｔｈ（ＩＥＥＥ８０２．１５．１）（登録商標）や、Ｂｏｄｙ  Ａｒｅａ  Ｎｅｔｗｏｒｋとして標準化されているＩＥＥＥ８０２．１５．６などが使用されてもよい。
【００５６】
また、通信部を介して計測装置１０と相互に通信する外部機器は、例えばＰＣ（Ｐｅｒｓｏｎａｌ  Ｃｏｍｐｕｔｅｒ）であってもよく、サーバであってもよい。更に、これらの外部機器は、制御部２００と同様の機能を有するように構成されてもよい。外部機器が、制御部２００と同様の機能を有する場合、その外部機器は、計測装置１０から送信される各種のデータに対して、制御部２００が行う処理と同様の演算処理を行ってもよい。
【００５７】
次に、図３を参照して、胸部接触用測定部１００が有する、心電測定部１１０、及び脈波測定部１２０の概略構成について説明する。図３は、図２における胸部接触用測定部１００の概略構成を示す機能ブロック図である。
【００５８】
図３を参照すると、心電測定部１１０は、例えば、電極１１１ａ、１１１ｂ、皮膚抵抗検出器１１２、シャント抵抗１１３ａ、１１３ｂ、差動アンプ１１４、ノッチフィルタ１１５、ローパスフィルタ１１６、増幅器１１７、及びアナログデジタルコンバータ（ＡＤコンバータ）１１８から構成される。ここで、以下では、接触情報に関するデータを測定するための接触検知部の一例として、皮膚抵抗検出器１１２について説明するが、本実施形態はこの例に限定されない。接触情報に関するデータを測定することができれば、接触検知部は他の構成であってもよい。
【００５９】
電極１１１ａ、１１１ｂは、被測定者の胸部測定部位に接触し、両電極間の電位差が測定される。心電測定は、人体の所望の２点間の電位差を測定することによって行われるため、電極１１１ａと電極１１１ｂとの電位差が、心電に関するデータ（信号）に対応する。また、この電位差の時間変化を測定することで、心電波形に関する情報を得ることができる。電極１１１ａ、１１１ｂの構造については、図９を参照して、後で詳しく説明する。
【００６０】
皮膚抵抗検出器１１２は、電極１１１ａと電極１１１ｂとの間の直流抵抗を検出し、制御部２００の接触情報取得部２４０に送信する。電極１１１ａ、１１１ｂが皮膚に接触すると、皮膚を介して両電極間に微小な電流が流れる。電極１１１ａ、１１１ｂが皮膚に接触しているときの抵抗値は、例えば数１００ｋΩから数ＭΩ程度の値である。従って、皮膚抵抗検出器１１２が検出した皮膚抵抗値に基づいて、電極１１１ａ、１１１ｂと、胸部測定部位との接触有無、すなわち、心電測定部１１０と胸部測定部位との接触有無に関する情報が得られる。また、電極１１１ａ、１１１ｂを、胸部測定部位に押圧する強さに応じても、両電極間の抵抗値は変化する。従って、皮膚抵抗検出器１１２が検出した皮膚抵抗値に基づいて、心電測定部１１０が胸部接触部位に押圧されている強さに関する情報が得られる。
【００６１】
シャント抵抗１１３ａ、１１３ｂは、電極１１１ａと電極１１１ｂとが短絡した際に生じる過電流から回路を保護する役割を果たす。シャント抵抗１１３ａ、１１３ｂの抵抗値は、一般的なシャント抵抗やシャント回路の設計値に準じて、適宜設計されてよい。
【００６２】
差動アンプ１１４は、電極１１１ａと電極１１１ｂとの電位差を増幅する。一般的に、電極１１１ａと電極１１１ｂとの電位差は、数ｍＶ程度であり、例えば、差動アンプ１１４は、この電位差を１００倍程度に増幅するように設計される。
【００６３】
ノッチフィルタ１１５、及びローパスフィルタ１１６は、差動アンプ１１４により増幅された信号から、不要な雑音を取り除くためのフィルタである。ノッチフィルタ１１５は、特定の帯域の周波数成分を低減するためのフィルタ回路である。本実施形態においては、例えば、心電測定部１１０の近傍に存在する商用交流電源からの影響を考慮して、ノッチフィルタ１１５は、５０Ｈｚ近傍、又は６０Ｈｚ近傍の帯域を低減させるように設計される。また、ローパスフィルタ１１６は、心電測定に不要な広域の雑音を除去するためのフィルタ回路であり、本実施形態においては、例えば、心電波形の有する周波数が数Ｈｚ程度であることを考慮して、カットオフ周波数は１００Ｈｚ程度に設定される。
【００６４】
ここで、不要な信号の除去は、後段での信号処理過程（制御部２００における信号処理過程）においても適宜行われるため、ノッチフィルタ１１５、及びローパスフィルタ１１６の特性は、増幅系で飽和しない程度の除去レベルであれば、自由に設計されてよい。
【００６５】
増幅器１１７は、ノッチフィルタ１１５、及びローパスフィルタ１１６によって不要な雑音が低減された後の信号を増幅する。増幅器１１７のゲインは、例えば、１０倍程度に設定される。従って、例えば、数ｍＶ程度であった電極１１１ａと電極１１１ｂとの電位差は、最終的に、数百ｍＶ〜１Ｖ程度まで増幅されて、ＡＤコンバータ１１８に入力される。
【００６６】
ＡＤコンバータ１１８は、入力された信号、すなわち増幅された心電に関する信号をアナログ信号からデジタル信号に変換（ＡＤ変換）し、制御部２００の生体情報取得部２１０に、デジタル信号として送信する。
【００６７】
次に、脈波測定部１２０の概略構成について説明する。図３を参照すると、脈波測定部１２０は、例えば、光学センシング部１２１、増幅器１２５、マルチプレクサ１２６、バンドパスフィルタ１２７ａ、１２７ｂ、及びＡＤコンバータ１２８ａ、１２８ｂから構成される。
【００６８】
光学センシング部１２１は、脈波検出部位に対して、脈波を測定するための光学的測定を行う。光学センシング部１２１は、例えば、ＬＥＤ１２２ａ、１２２ｂ、フォトダイオード１２３、及び駆動部１２４から構成される。
【００６９】
ここで、脈波測定の原理について説明する。一般的に、血中に存在するヘモグロビンは、特定波長の光を吸収しやすい性質を有している。ヘモグロビンの数は血管内の血流量に比例するので、脈波検出部位に特定波長の光を照射し、その透過光、又は反射光を検出すると、脈波検出部位の血流量に応じて検出される光量も変化する。従って、この検出された光量から、血管内の血流量の変化を測定でき、脈波を測定することができる。
【００７０】
また、ヘモグロビンの中でも、酸素と結合しているヘモグロビンと、酸素と結合していないヘモグロビンとでは、吸光スペクトルが異なる。例えば、赤外光（例えば波長約９４０ｎｍ）は、動脈血酸素飽和度（ＳｐＯ２）の変化による吸光度への影響が比較的小さい。一方、赤色光（例えば波長約６６０ｎｍ）は、動脈血酸素飽和度の変化による吸光度への影響が比較的大きい。ここで、動脈血酸素飽和度とは、動脈血液中のヘモグロビンのうち酸素と結合しているヘモグロビンの割合を示す指標である。
【００７１】
従って、上述したヘモグロビンの酸素結合有無による吸光度の波長依存性を利用して、赤外光、赤色光の２種類の光を脈波検出部位に照射することで、脈波測定と同時に、動脈血酸素飽和度を測定することができる。以下では、脈波と同時に動脈血酸素飽和度を測定する実施例について説明する。
【００７２】
光学センシング部１２１の説明に戻る。ＬＥＤ１２２ａ、１２２ｂは発光素子であり、上記で説明したように、例えば、波長９４０ｎｍ程度の赤外光、波長６６０ｎｍ程度の赤色光を、それぞれ発する。ＬＥＤ１２２ａ、１２２ｂは、後述する駆動部１２４によって制御され、例えば、脈波検出部位にそれぞれの波長の光を交互に照射する。
【００７３】
フォトダイオード１２３は受光素子であり、ＬＥＤ１２２ａ、又はＬＥＤ１２２ｂから照射された光の、脈波検出部位における透過光、又は反射光を検出し、受光した光量に応じた信号を増幅器１２５に入力する。ここで、例えば、フォトダイオード１２３が脈波検出部位の透過光を検出する場合は、ＬＥＤ１２２ａ、１２２ｂと、フォトダイオード１２３とは、脈波検出部位を挟むように配設される。また、例えば、フォトダイオード１２３が脈波検出部位の反射光を検出する場合は、ＬＥＤ１２２ａ、１２２ｂと、フォトダイオード１２３とは、脈波検出部位に対して同じ側に配設される。
【００７４】
駆動部１２４は、例えば、制御部２００からの制御により、ＬＥＤ１２２ａ、１２２ｂの駆動を制御する。具体的には、駆動部１２４は、ＬＥＤ１２２ａ、１２２ｂが一定間隔で交互に発光するように制御してもよい。
【００７５】
増幅器１２５は、フォトダイオード１２３から入力された電気信号を増幅し、マルチプレクサ１２６に入力する。ここで、増幅器１２５のゲインは、ＬＥＤ１２２ａ、１２２ｂの光量等に応じて適宜設計されてよい。
【００７６】
マルチプレクサ１２６は、増幅器１２５により増幅された信号を、ＬＥＤ１２２ａ、１２２ｂが発した光の波長に応じて、バンドパスフィルタ１２７ａ、又はバンドパスフィルタ１２７ｂのいずれかを選択して入力する。ここで、バンドパスフィルタ１２７ａ、１２７ｂは、例えば、赤外光、又は赤色光に応じた帯域以外の周波数成分を低減するように設定されている。従って、フォトダイオード１２３が検出した光が、例えば、赤外光を発するＬＥＤ１２２ａからの透過光、又は反射光であった場合には、マルチプレクサ１２６は、赤外光に対応するように設定されたバンドパスフィルタ１２７ａを選択し、信号を入力する。また、フォトダイオード１２３が検出した光が、例えば、赤色光を発するＬＥＤ１２２ｂからの透過光、又は反射光であった場合には、マルチプレクサ１２６は、赤色光に対応するように設定されたバンドパスフィルタ１２７ｂを選択し、信号を入力する。
【００７７】
バンドパスフィルタ１２７ａ、１２７ｂを通過し、雑音が低減された信号は、ＡＤコンバータ１２８ａ、１２８ｂにそれぞれ入力される。ＡＤコンバータ１２８ａ、１２８ｂの機能は、ＡＤコンバータ１１８と同様であるため、詳細な機能についての説明は省略する。デジタル化された赤外光、赤色光に対応する各信号が、それぞれの脈波信号を形成している。ＡＤコンバータ１２８ａ、１２８ｂは、デジタル変換した信号を制御部２００の生体情報取得部２１０に送信する。
【００７８】
このように、生体情報取得部２１０は、脈波検出部位に赤外光、及び／又は赤色光を照射したときに検出された透過光、又は反射光から、脈波に関するデータを取得することができる。また、生体情報取得部２１０は、脈波検出部位に赤外光及び赤色光を交互に照射したときに検出された透過光、又は反射光から、動脈血酸素飽和度に関するデータを取得することができる。
【００７９】
以上説明したように、本開示の第１の実施形態に係る計測装置１０においては、胸部に接触された心電測定部１１０により心電に関するデータが測定され、脈波測定部１２０により脈波に関する測定データが測定される。また、血圧算出部２２０が、それら心電情報及び、脈波情報に基づいて、被測定者の血圧値を算出する。以上の構成を有することで、心電測定が胸部測定部位で行われるため、心電測定、及び血圧測定を、より正確に行うことが可能になる。
【００８０】
また、本開示の第１の実施形態に係る計測装置１０においては、接触情報取得部２４０が、心電測定部１１０と胸部測定部位との接触状態に関する情報である接触情報を取得する。また、測定状態判断部２５０が、少なくとも接触情報に基づいて、心電情報の信頼度、及び脈波情報の信頼度の少なくともいずれかを判断する。以上の構成を有することで、もしも心電情報、及び／又は脈波情報の信頼度が低い場合には、心電測定部１１０と胸部測定部位との接触状態（接触位置、押圧強さ等）を適宜調整することで、心電測定、及び／又は脈波測定の正確性を向上させることができる。従って、心電測定、及び血圧測定を、より正確に行うことが可能になる。
【００８１】
以上、図２、及び図３を参照して、本実施形態に係る計測装置１０の機能の一例、特に胸部接触用測定部１００、及び制御部２００の機能の一例について詳細に説明した。ここで、上記の各構成要素は、汎用的な部材や回路を用いて構成されていてもよいし、各構成要素の機能に特化したハードウェアにより構成されていてもよい。また、制御部２００については、各構成要素の機能を、ＣＰＵ（Ｃｅｎｔｒａｌ  Ｐｒｏｃｅｓｓｉｎｇ  Ｕｎｉｔ）等が全て行ってもよい。従って、本実施形態を実施する時々の技術レベルに応じて、適宜、利用する構成を変更することが可能である。
【００８２】
また、図３を参照して、心電測定部１１０、及び脈波測定部１２０の回路構成について詳細に説明したが、これらの回路構成は図示した例に限定されない。心電測定部１１０、及び脈波測定部１２０の回路構成は、上記説明した所望の機能を実現できる限りにおいて適宜変更可能である。例えば、上記の回路構成例では、脈波測定部１２０が、被測定者の脈波と動脈血酸素飽和度とを同時に測定する場合について説明したが、脈波測定部１２０は、脈波測定のみを行ってもよい。脈波測定部１２０が脈波測定のみを行う場合には、光学センシング部１２１は、ＬＥＤを１つだけ有するように構成され、後段のマルチプレクサ１２６、バンドパスフィルタ１２７ａ、１２７ｂ、及びＡＤコンバータ１２８ａ、１２８ｂの構成も適宜変更されてよい。
【００８３】
［２．２．血圧算出方法］
次に、図４〜７を参照して、本開示の第１の実施形態に係る計測装置１０における血圧算出方法について説明する。
【００８４】
まず、図４、及び図５を参照して、脈波伝播速度（時間）の算出方法について説明する。図４は、心電波形、及び脈波がプロットされたグラフ図である。また、図５は、図４における時刻Ｔ１、及び時刻Ｔ２近傍を拡大した拡大図である。
【００８５】
図４を参照すると、時間を表す横軸と、信号強度を表す縦軸と、から構成される平面に、心電波形Ａの信号強度の時間変化、及び脈波Ｂの信号強度の時間変化がプロットされている。ここで、脈波Ｂは、例えば被測定者の指先で測定された脈波である。
【００８６】
心電波形Ａの周期的な波形のうち、例えばある波（Ｒ波）の立ち上がり時刻をＴ１とし、脈波Ｂの周期的な波形のうち、時刻Ｔ１の後に現れるある波の立ち上がり時刻をＴ２とすると、脈波伝播時間はＴ２−Ｔ１で定義される。また、脈波伝播速度は、例えば、心臓から脈波検出部位までの距離を脈波伝播時間で除した値で定義される。
【００８７】
ここで、時刻Ｔ１と時刻Ｔ２との関係は、実際に時刻Ｔ１で心臓から送り出された血液が、時刻Ｔ２で脈波検出部位に達している関係でなくてもよい。後述するように、脈波伝播時間（速度）と血圧値との相関関係は、両者の実測値から得られるので、脈波伝播時間（速度）の定義が一定であれば、血圧値を算出する際に問題になることはない。
【００８８】
また、図４においては、脈波伝播時間の算出方法について説明しやすいように、心電波形Ａの信号強度が、脈波Ｂの信号強度よりも大きい値を有するようにグラフが描かれているが、心電波形Ａの信号強度と脈波Ｂの信号強度との大小関係はこの例に限定されない。つまり、時刻Ｔ１、及び時刻Ｔ２の横軸（時間）における位置関係が明確であれば、縦軸（信号強度）のスケールは特に限定されない。例えば、心電波形Ａの信号強度と、脈波Ｂの信号強度とは、同一の縦軸に対してプロットされなくてもよい。また、心電波形Ａの信号強度及び、脈波Ｂの信号強度は、脈波伝播時間が精度良く算出されるように、図３に示した回路内の増幅器等を適宜設計することによって変更されてよい。
【００８９】
図５は、図４における時刻Ｔ１、及び時刻Ｔ２近傍を拡大した拡大図である。図５に示すように、脈波伝播時間を求める際に、時刻Ｔ２についてあるウインドウ（上限、下限）を設けることで、脈波伝播時間の精度を向上させることができる。具体的には、時刻Ｔ２が、図５に示すウインドウから外れたとき、例えば、時刻Ｔ２がウインドウの時刻Ｔ１側の端（時刻Ｃ）よりも早い場合、又は時刻Ｔ２がウインドウの時刻Ｔ１とは反対側の端（時刻Ｄ）よりも遅い場合には、その時刻Ｔ２を用いて算出した脈波伝播時間は採用されないようにしてもよい。ここで、ウインドウの幅は、例えば、統計的に取得された過去の脈波伝播時間の測定データから求められた平均値から設定される。
【００９０】
次に、図６を参照して、脈波伝播速度と収縮血圧（最高血圧）値との関係について説明する。図６は、脈波伝播速度と収縮血圧（最高血圧）値との関係を示す図である。図６に示すように、脈波伝播速度と収縮血圧値との間には、直線関係Ｐ＝ａＶ＋ｂ（Ｐは収縮血圧値、Ｖは脈波伝播速度、ａ、ｂは定数）がある。従って、定数ａ、ｂの値が分かれば、測定データから算出された脈波伝播速度に基づいて、収縮血圧値を求めることができる。ただし、上記直線関係には個人差が存在するため、定数ａ、ｂの値は、被測定者に応じて求められる。
【００９１】
定数ａ、ｂの値を求めるためには、直線Ｐ＝ａＶ＋ｂ上の任意の２点での値が分かればよい。従って、例えば、被測定者は、直接測定方式を用いて、被測定者がある状態（第１の状態）であるときの、脈波伝播速度ｖ１、及びｖ１に対応する収縮血圧ｐ１を測定する。次に、被測定者は、被測定者が第１の状態とは異なる別の状態（第２の状態）であるときの、脈波伝播速度ｖ２、及びｖ２に対応する収縮血圧ｐ２を測定する。そして、それら脈波伝播速度ｖ１、ｖ２、及び収縮血圧ｐ１、ｐ２の値を用いることで、定数ａ、ｂの値が求められる。以下の説明では、このように、定数ａ、ｂの値、すなわち脈波伝播速度と収縮血圧（最高血圧）値との直線関係を求めることを、キャリブレーションと呼ぶこととする。ここで、第１の状態、及び第２の状態は、被測定者の収縮血圧値に一定以上の差異が生じる状態であればよく、特定の状態に限定されない。例えば、第１の状態とは、運動前（平静時）であってもよく、第２の状態とは運動直後であってもよい。
【００９２】
また、上記の説明では、異なる状態における脈波伝播速度ｖ１、ｖ２、及び収縮血圧ｐ１、ｐ２を測定する場合について説明したが、例えば直線の傾きを示す定数ａに大きな個人差がないと仮定できれば、脈波伝播速度ｖ１、及び収縮血圧ｐ１の１点のデータだけでもキャリブレーションは可能である。
【００９３】
本開示の第１の実施形態に係る計測装置１０では、血圧算出部２２０は、上記説明した脈波伝播速度と収縮血圧との直線関係Ｐ＝ａＶ＋ｂを利用して、血圧値を算出する。従って、被測定者は、血圧測定を開始する前に、キャリブレーションのために、例えば脈波伝播速度ｖ１、ｖ２、及び収縮血圧ｐ１、ｐ２に関する情報を計測装置１０に入力する。図７は、このようなキャリブレーション用の血圧計の一例を示している。
【００９４】
図７を参照すると、キャリブレーション用血圧計４５０は、例えば、直接測定方式の血圧計である。被測定者は、例えばカフ４５１を腕部に巻くことで、血圧を測定することができる。また、キャリブレーション用血圧計４５０は、通信部４５２を更に備えてもよい。キャリブレーション用血圧計４５０は、通信部４５２を介して、計測装置１０と相互に通信を行うことができる。キャリブレーション用血圧計４５０と計測装置１０との通信方式は、有線、無線を問わないが、通信部４５２の伝送方式と、上述した計測装置１０の通信部の伝送方式とは、同一のものが用いられることが好ましい。例えば、通信部４５２が無線伝送方式であった場合、その伝送方式は、上述した計測装置１０の通信部の無線伝送方式と同一のものが用いられる。
【００９５】
キャリブレーション用血圧計４５０により、被測定者の血圧が測定されると、キャリブレーション用血圧計４５０は、例えば、通信部４５２を介して、測定した収縮血圧値に関する情報を、計測装置１０に送信する。例えば、図７に示す例では、収縮血圧値として「１２０」が、キャリブレーション用血圧計４５０から計測装置１０に送信される。一方、キャリブレーション用血圧計４５０による血圧測定と同時、又はできるだけ近い時間に、被測定者の脈波伝播速度（時間）も測定され、やはり計測装置１０に送信される。ここで、脈波伝播速度（時間）は、別個の測定装置によって測定されてもよいし、計測装置１０の胸部接触用測定部１００によって測定されてもよい。また、キャリブレーション用血圧計４５０に、脈波伝播速度（時間）を測定する機能が設けられてもよい。
【００９６】
更に、必要に応じて、被測定者が異なる状態にあるときの、収縮血圧、及び脈波伝播速度（時間）が再度測定され、それらに関する情報も、計測装置１０に送信される。計測装置１０は、これらの収縮血圧値に関する情報、及び脈波伝播速度（時間）に関する情報を、例えば記憶部３００に格納する。計測装置１０は、記憶部３００に格納された収縮血圧に関する情報、及び脈波伝播速度（時間）に関する情報を利用して、キャリブレーションを行うことができる。
【００９７】
ここで、上記の説明では、キャリブレーションを行う際に、異なる状態における脈波伝播速度ｖ１、ｖ２、及び収縮血圧ｐ１、ｐ２を用いる例について説明したが、測定点は３点以上であってもよい。すなわち、異なる３つ以上の状態における脈波伝播速度ｖ１、ｖ２、ｖ３、・・・、及び収縮血圧ｐ１、ｐ２、ｐ３、・・・に基づいて、キャリブレーションを行ってもよい。測定点が多いほど、キャリブレーションの精度を高めることができる。
【００９８】
［２．３．計測装置の外観例］
次に、図８〜図１０を用いて、本開示の第１の実施形態に係る計測装置１０の外観例について説明するとともに、計測装置１０の使用方法の一例について説明する。
【００９９】
まず、図８Ａ〜Ｅを参照して、本開示の第１の実施形態に係る計測装置１０の外観について説明する。図８Ａは、本実施形態に係る計測装置１０の外観例を示す背面図、図８Ｂは、本実施形態に係る計測装置１０の外観例を示す正面図、図８Ｃは、本実施形態に係る計測装置１０の外観例を示す下面図、図８Ｄは、本実施形態に係る計測装置１０の外観例を示す側面図、図８Ｅは、脈波を測定する際の、本実施形態に係る計測装置１０と脈波測定部との位置関係を示す説明図である。
【０１００】
図８Ａ〜Ｅを参照すると、本実施形態に係る計測装置１０は、略直方体の形状を有してもよい。図８Ａを参照すると、計測装置１０の背面には、例えば電極コネクタ部１０１、１０２が、所定の間隔離れて配置される。ここで、電極コネクタ部１０１、１０２にはそれぞれ電極が取り付け可能であり、電極コネクタ部１０１、１０２に取り付けられる電極は、図３における心電測定部１１０の電極１１１ａ、１１１ｂに対応している。つまり、電極コネクタ部１０１、１０２に取り付けられる電極が被測定者の胸部に接触することで、被測定者の心電に関するデータが測定される。ここで、電極コネクタ部１０１と電極コネクタ部１０２との間隔は、心電測定の精度や、計測装置１０の大きさを考慮して、適宜設計されてよい。
【０１０１】
また、電極コネクタ部１０１、１０２に取り付けられる電極は、乾式電極であってもよく、また、湿式電極であってもよい。つまり、電極コネクタ部１０１、１０２に取り付けられる電極は、計測装置１０の使用状況に応じて、乾式電極と湿式電極とが交換可能であってもよい。また、電極コネクタ部１０１、１０２には、乾式電極、又は湿式電極のいずれか一方が常時接続され、着脱不可能に構成されてもよい。電極コネクタ部１０１、１０２と、乾式電極、又は湿式電極のいずれか一方と着脱不可能に構成される場合、電極コネクタ部１０１、１０２と、乾式電極、又は湿式電極とは、一体的に形成されてもよい。電極コネクタ部１０１、１０２に取り付けられる電極の構成については、図９を参照して後で詳しく説明する。
【０１０２】
また、図８Ａを参照すると、計測装置１０の一側面には、ＬＥＤ１０４が設けられてもよい。ＬＥＤ１０４は、図２における表示部４００に対応している。ここで、ＬＥＤ１０４が設けられる部位は、図８Ａに示す部位に限定されず、被測定者の注意を引く部位であれば、適宜変更されてよい。
【０１０３】
次に、図８Ｂを参照すると、計測装置１０の正面には、例えば面内の略中心に脈波測定用検出窓１０３が設けられる。ここで、脈波測定用検出窓１０３は、図３における脈波測定部１２０の光学センシング部１２１に対応している。図８Ｂでは、フォトダイオード１２３が脈波検出部位の反射光を検出する場合、すなわち、ＬＥＤ１２２ａ、１２２ｂと、フォトダイオード１２３とが、脈波検出部位に対して同じ側に配設される場合について図示している。従って、脈波測定用検出窓１０３に脈波検出部位が接触することで、被測定者の脈波に関するデータが測定される。
【０１０４】
更に、図８Ｂ、及び図８Ｄに示すように、計測装置１０の正面の面内の、脈波測定用検出窓１０３が設けられた部位を含む、ある幅を持った領域に、くぼみ１０５が形成されてもよい。被測定者は、脈波を測定する際に、図８Ｅに示すように、脈波検出部位、例えば指をくぼみ１０５に沿わせるように置きながら、指の一部領域を脈波測定用検出窓１０３に接触させることができる。
【０１０５】
このように、本実施形態に係る計測装置１０においては、心電測定部１１０と脈波測定部１２０とが一体的に構成されてもよい。ここで、脈波測定用検出窓１０３が設けられる部位は図８Ｂに示す部位に限定されない。ただし、脈波測定用検出窓１０３は、図８Ｂに示すように、電極コネクタ部１０１、１０２、すなわち心電測定部１１０の電極１１１ａ、１１１ｂが設けられる面と対向する面に設けられることが好ましい。また、脈波測定用検出窓１０３は、図８Ｂに示すように、電極コネクタ部１０１、１０２が設けられる面と対向する面内の、電極コネクタ部１０１と電極コネクタ部１０２との間に対応する位置に設けられることが更に好ましい。これは、［２．１．計測装置の構成］で説明したように、心電測定部１１０と脈波測定部１２０とがこのような位置関係にある場合は、被測定者の脈波検出部位を脈波測定部１２０に接触させる、又は押圧させることで、心電測定部１１０が被測定者の胸部測定部位に接触する、又は押圧されることになるからである。従って、脈波測定用検出窓１０３が、図８Ｂに示す部位に設けられることで、脈波検出部位が脈波測定用検出窓１０３を押圧することにより、電極コネクタ部１０１、１０２が、胸部測定部位に確実に押圧されるようにすることができる。
【０１０６】
また、図８Ｃを参照すると、計測装置１０の下面には、例えばスロット１０７が設けられる。スロット１０７は、外部記憶部、例えばメモリカードを挿入するための接続ポートである。ここで、スロット１０７が設けられる部位は、図８Ｃに示す部位に限定されず、被測定者、又はユーザの使いやすさを考慮して、適宜設計されてよい。
【０１０７】
次に、図９Ａ〜図９Ｄを参照して、図８Ａ〜Ｅに示す計測装置１０の電極コネクタ部１０１、１０２に取り付けられる電極の概略構成について説明する。図９Ａは、本実施形態に係る乾式電極の外観例を示す背面（被測定者の胸部に接触される面）図であり、図９Ｂは、図９Ａに示す乾式電極の上面図である。また、図９Ｃは、本実施形態に係る湿式電極の外観例を示す背面（被測定者の胸部に接触される面）図であり、図９Ｄは、図９Ｃに示す湿式電極の上面図である。
【０１０８】
図９Ａ、及び図９Ｂを参照すると、乾式電極５０１は、例えば、その正面の一部領域に突起部５０２を有する。突起部５０２が、図８Ａに示す電極コネクタ部１０１、又は電極コネクタ部１０２に嵌合されることで、乾式電極５０１が計測装置１０に電気的に接続される。
【０１０９】
図９Ｃを参照すると、湿式電極５０３は、例えば、その背面の一部領域に乾式の電極５０４、５０５を有する。乾式の電極５０４、５０５は、例えば、互いに所定の間隔離れて配設される。また、乾式の電極５０４、５０５の周囲には、例えば導電ゲル５０６、５０７がそれぞれ塗布される。導電ゲル５０６、５０７は、湿式電極５０３が被測定者の胸部測定部位に接触する際に、乾式の電極５０４、５０５と人体との接触抵抗を低減する役割を果たす。更に、湿式電極５０３の背面の、乾式の電極５０４、５０５、及び導電ゲル５０６、５０７以外の領域には、接着部５０８が設けられてもよい。接着部５０８が被測定者の胸部測定部位に貼付されることで、乾式の電極５０４、５０５、及び導電ゲル５０６、５０７が胸部測定部位に接触した状態で、湿式電極５０３が固定される。
【０１１０】
更に、図９Ｄを参照すると、湿式電極５０３は、例えば、その正面の一部領域に突起部５０９、５１０を有する。突起部５０９、５１０は、背面側に設けられた乾式の電極５０４、５０５に対応する位置に設けられる。突起部５０９、５１０が、図８Ａに示す電極コネクタ部１０１、１０２にそれぞれ嵌合されることで、湿式電極５０３が計測装置１０に電気的に接続される。
【０１１１】
以上、図８Ａ〜Ｅ、及び図９Ａ〜Ｄを参照して、本開示の第１の実施形態に係る計測装置１０の外観の一例について説明した。ここで、計測装置１０の外観は、図８Ａ〜Ｅ、及び図９Ａ〜Ｄに示した例に限定されない。例えば、計測装置１０は略直方体の形状でなくてもよく、計測装置１０の正面、及び／又は背面の形状は、略玉子型や略三角形等、多様な形状であってよい。また、例えば、計測装置１０の正面の一部領域には、ディスプレイが設けられ、そのディスプレイに、測定結果等の情報が表示されるようにしてもよい。
【０１１２】
次に、図１０Ａ、図１０Ｂを参照して、本開示の第１の実施形態に係る計測装置１０の使用方法の一例について説明する。図１０Ａは、本実施形態に係る計測装置１０が乾式電極を有する場合の使用方法の一例を示す説明図であり、図１０Ｂは、本実施形態に係る計測装置１０が湿式電極を有する場合の使用方法の一例を示す説明図である。
【０１１３】
図１０Ａを参照すると、本実施形態に係る計測装置１０が乾式電極を有する場合、計測装置１０は、頸部ぶら下げ用のひも状部材１０９によって、被測定者の頸部からぶら下げられてもよい。ここで、ひも状部材１０９の長さは、計測装置１０が被測定者の胸部の高さに位置するように調整されていてもよい。また、例えば、計測装置１０の正面の略中心には、脈波測定用検出窓１０３が設けられており、計測装置１０の背面には、心電測定用の電極が設けられている。この状態で、被測定者が、例えば右手の人差し指で脈波測定用検出窓１０３に触れながら計測装置１０を押圧すると、心電測定用の電極が被測定者の胸部１０８に押圧され、心電に関するデータ、及び脈波に関するデータが同時に測定され、被測定者の血圧が算出される。また、測定時に、被測定者は、くぼみ１０５に右手の人差し指を沿わせることで、人差し指と脈波測定用検出窓１０３との接触を安定させることができる。もちろん、計測装置１０を左手で胸部に押圧し、右手の人差し指で脈波測定用検出窓に触れても、被測定者の血圧は算出される。
【０１１４】
次に、図１０Ｂを参照すると、本実施形態に係る計測装置１０が湿式電極を有する場合、計測装置１０は、湿式電極５０３の粘着部５０８によって、被測定者の胸部測定部位に貼り付けられてもよい。ここで、図１０Ｂに示す使用方法例は、計測装置１０が、ひも状部材１０９で被測定者の頸部からぶら下げられる代わりに、湿式電極５０３の粘着部５０８によって被測定者の胸部測定部位に貼り付けられる点以外は、図１０Ａに示す使用方法例と同様であるため、詳細な説明は省略する。計測装置１０が被測定者の胸部測定部位に貼り付けられた状態で、被測定者が、例えば右手の人差し指で脈波測定用検出窓１０３に触れながら計測装置１０を押圧すると、心電測定用の電極が被測定者の胸部１０８に押圧され、心電に関するデータ、及び脈波に関するデータが同時に測定され、被測定者の血圧が算出される。
【０１１５】
また、計測装置１０が、湿式電極５０３の粘着部５０８によって、被測定者の胸部測定部位に貼り付けられる場合、例えば接触情報取得部２４０は、湿式電極５０３が胸部測定部位から離れたことを示す情報を取得してもよい。更に、測定制御部２６０は、その湿式電極５０３が胸部測定部位から離れたことを示す情報に基づいて、胸部接触用測定部１００を制御してもよい。
【０１１６】
以上説明したように、本開示の第１の実施形態に係る計測装置１０においては、心電測定部１１０と脈波測定部１２０とが一体的に構成されてもよい。そして、被測定者が、例えば右手の人差し指で脈波測定用検出窓１０３に触れながら、計測装置１０を胸部に押圧することで、心電に関するデータ、及び脈波に関するデータが同時に測定され、被測定者の血圧が算出される。従って、心電測定部が胸部測定部位に確実に押圧された状態で心電に関するデータが測定されるため、心電測定をより正確に行うことができる。また、被測定者は、計測装置１０を、ひも状部材で被測定者の胸部測定部位近傍にぶら下げた状態、又は心電測定用の湿式電極によって胸部測定部位に貼り付けられた状態で携帯することができる。従って、被測定者は、計測装置１０を胸部測定部位にほぼ接触させた状態で日常的に持ち運ぶことができ、気軽に血圧測定を行うことができる。
【０１１７】
＜３．第２の実施形態＞
次に、図１１、及び図１２を参照して、本開示の第２の実施形態に係る計測装置の外観例、及び使用方法について説明する。なお、本開示の第２の実施形態に係る計測装置は、脈波測定用検出窓以外の機能、及び構成は、本開示の第１の実施形態に係る計測装置と同様であるため、以下では主にその相違点についてのみ説明を行い、その他の構成に関する詳細な説明は省略する。
【０１１８】
まず、図１１を参照して、本開示の第２の実施形態に係る計測装置２０の外観について説明する。図１１Ａは、本実施形態に係る計測装置２０の外観例を示す背面図、図１１Ｂは、本実施形態に係る計測装置２０の外観例を示す正面図、図１１Ｃは、本実施形態に係る計測装置２０の外観例を示す側面図、図１１Ｄは、脈波を測定する際の、本実施形態に係る計測装置２０と脈波検出部位との位置関係を示す説明図である。
【０１１９】
図１１Ａを参照すると、本実施形態に係る計測装置２０の背面には、例えば電極コネクタ部３０１、３０２が所定の間隔離れて配置される。また、図１１Ａを参照すると、計測装置２０の一側面には、ＬＥＤ３０４が設けられてもよい。ここで、電極コネクタ部３０１、３０２、及びＬＥＤ３０４の機能、及び構成は、本開示の第１の実施形態に係る計測装置１０における、電極コネクタ部１０１、１０２、及びＬＥＤ１０４と同様であるため、詳細な説明は省略する。
【０１２０】
図１１Ｂを参照すると、本実施形態に係る計測装置２０の正面には、計測装置２０の正面を覆うようにカバー３０３が設けられている。カバー３０３は、計測装置２０の正面と略同形状、略同面積を有する板状の部材であってよく、カバー３０３の１辺は、ヒンジを介して計測装置２０の正面の１辺に固定されている。すなわち、カバー３０３は、ヒンジが設けられた１辺を回転軸として、計測装置２０に対して開閉可能に構成される。ここで、平時はカバー３０３が閉じられた状態になるように、ヒンジには、例えばばね等の機構が設けられてもよい。
【０１２１】
図１１Ｃを参照すると、カバー３０３の、計測装置２０と接する面には、例えばＬＥＤ３０５が設けられる。ＬＥＤ３０５は、脈波検出部位に光を照射する役割を果たす。ここで、ＬＥＤ３０５は、図３に示すＬＥＤ１２２ａ、及びＬＥＤ１２２ｂの少なくともいずれかに対応するものである。つまり、ＬＥＤ３０５は、１つのＬＥＤであってもよいし、２つのＬＥＤが並列に並べられることによって構成されてもよい。一方、計測装置２０のカバー３０３に覆われる面の一部領域には、例えば脈波測定用検出窓３０６が設けられる。ここで、脈波測定用検出窓３０６は、図３に示すフォトダイオード１２３に対応するものである。
【０１２２】
脈波を測定する際には、図１１Ｄに示すように、被測定者の脈波検出部位が、カバー３０３と、計測装置２０のカバー３０３に覆われる面との間に挟まれる。より詳しくは、被測定者の脈波検出部位が、カバー３０３に設けられたＬＥＤ３０５と、脈波測定用検出窓３０６との間に挟まれる。すなわち、被測定者の脈波検出部位が、カバー３０３に設けられた光照射部と、光入射部との間に挟まれる。従って、脈波測定用検出窓３０６は、ＬＥＤ３０５が照射した光のうち、被測定者の脈波検出部位を透過した光を検出することができる。
【０１２３】
次に、図１２を参照して、本開示の第２の実施形態に係る計測装置２０の使用方法の一例について説明する。図１２は、本実施形態に係る計測装置２０が乾式電極を有する場合の使用方法の一例を示す説明図である。ここで、図１２に示す使用方法例は、脈波測定方法以外は、図１０Ａにおいて説明した、本開示の第１の実施形態に係る計測装置１０の使用方法と同様であるため、以下では主にその相違点についてのみ説明を行う。
【０１２４】
図１２を参照すると、本実施形態に係る計測装置２０が乾式電極を有する場合、計測装置２０は、頸部ぶら下げ用のひも状部材１０９によって、被測定者の頸部からぶら下げられてもよい。更に、ひも状部材１０９の長さは、計測装置２０が被測定者の胸部の高さに位置するように調整されていてもよい。この状態で、被測定者は、脈波検出部位、例えば指を、計測装置２０のカバー３０３に覆われる面とカバー３０３との間に挟んだまま、計測装置２０を胸部１０８の方向に押圧する。計測装置２０の背面には、心電測定用の電極が設けられているため、被測定者が指を挟んだまま、計測装置２０を押圧することで、心電測定用の電極が被測定者の胸部１０８に押圧され、心電に関するデータ、及び脈波に関するデータが同時に測定され、被測定者の血圧が算出される。
【０１２５】
このように、本開示の第２の実施形態に係る計測装置２０は、計測装置２０の正面を覆うように設けられたカバー３０３を備える。また、計測装置３０のカバー３０３に覆われる面とカバー３０３との間に、脈波検出部位を挟むことで、脈波を測定することができる。このような構成を有することで、脈波測定部位の位置が計測装置２０に対して固定されるため、脈波の測定をより精度良く行うことが可能になる。
【０１２６】
ここで、本開示の第２の実施形態に係る計測装置２０には、本開示の第１の実施形態に係る計測装置１０において説明した実施例を、可能な範囲で併せて適用することが可能である。例えば、本開示の第２の実施形態に係る計測装置２０は、湿式電極を備えてもよい。本開示の第２の実施形態に係る計測装置２０が、湿式電極を備える場合、図１０Ｂに示すように、被測定者の胸部測定部位に計測装置２０を貼り付けて測定を行うことができる。
【０１２７】
＜４．計測方法の処理手順＞
次に、図１３を参照して、本開示の第１の実施形態、及び第２の実施形態に係る計測方法の処理手順について説明する。図１３は、本開示の第１の実施形態、及び第２の実施形態に係る計測方法における血圧測定処理手順を示すフロー図である。なお、以下の説明では、ステップＳ３０１以前に、被測定者によってキャリブレーション作業が行われ、脈波伝播速度と収縮血圧値との間の直線関係（Ｐ＝ａＶ＋ｂ）に関する情報が、計測装置１０、２０に入力されているものとする。
【０１２８】
図１３を参照すると、まず、計測装置１０、２０は電源待機状態（Ｐｏｗｅｒセーブ状態）にある（ステップＳ３０１）。電源待機状態で、心電測定部１１０の皮膚抵抗検出器１１２が、電極１１１ａと電極１１１ｂとの間の微小電流を検知し、両電極間の抵抗値を検知する（ステップＳ３０３）と、制御部２００の測定制御部２６０が、その抵抗値が、ある時間ｔ１の間、あるしきい値ｒ１以下かどうかを判定する（ステップＳ３０５）。ここで、電極１１１ａと電極１１１ｂとの間に微小電流が検知され、両電極間の抵抗値が検知される状態とは、例えば、電極１１１ａ、及び電極１１１ｂが、被測定者の皮膚に接触することにより実現される。また、電極１１１ａ、及び電極１１１ｂが被測定者の皮膚に接触する際の接触部位は、心電測定を行うための胸部測定部位であってもよい。
【０１２９】
ステップＳ３０５で、電極１１１ａと電極１１１ｂとの間の抵抗値が、ある時間ｔ１の間、あるしきい値ｒ１以下でなかった場合、測定制御部２６０は、電極１１１ａ、及び電極１１１ｂと胸部測定部位とが十分接触していないと判断し、ステップＳ３０３に戻る。一方、ステップＳ３０５で、電極１１１ａと電極１１１ｂとの間の抵抗値が、ある時間ｔ１の間、あるしきい値ｒ１以下であった場合、測定制御部２６０は、電極１１１ａ、及び電極１１１ｂと胸部測定部位とが接触していると判断し、心電測定部１１０が、心電測定を開始するように制御を行う（ステップＳ３０７）。また、計測装置１０、２０が電源待機状態から復帰する。ここで、ステップＳ３０７では、電源待機状態が解除され、心電測定が開始されたことを示すために、表示制御部２３０が、表示部４００を、例えばＬＥＤ１０４、３０４が点灯するように制御してもよい。また、電源待機状態が解除されたことは、ブザー、バイブレータ等他の手段によって伝達されてもよい。ここで、計測装置１０、２０が電源待機状態から復帰する制御は、例えば制御部２００により行われる。
【０１３０】
ステップＳ３０７の次は、時間ｔ２の間、心電測定、及び脈波測定が行われる（ステップＳ３０９）。次に、ステップＳ３１１で、測定された心電に関するデータ、及び脈波に関するデータの信頼度が判断される。具体的には、制御部２００の測定状態判断部２５０が、電極１１１ａ、及び電極１１１ｂと胸部測定部位との接触状態に関する情報（接触情報）に基づいて、心電に関するデータが適切に測定されているかどうかを判断する。より具体的には、測定状態判断部２５０は、接触情報に含まれる、電極１１１ａと電極１１１ｂとの間の抵抗値に応じて、例えば、その抵抗値が予め設定されたしきい値（第１のしきい値）よりも小さいかどうかで、被測定者の心電に関するデータが適切に測定されているかどうかを判断してもよい。ここで、電極１１１ａと電極１１１ｂとの間の抵抗値は、心電測定部１１０が被測定者の胸部測定部位に押圧される強さに応じて変化する。従って、電極１１１ａと電極１１１ｂとの間の抵抗値に基づいて、心電測定部１１０による測定の信頼度の判断を行うことができる。
【０１３１】
また、図１０Ａ、図１０Ｂ、及び図１２を参照して説明したように、被測定者は、脈波検出部位を脈波測定用検出窓１０３、３０６に接触させた状態で、計測装置１０、２０を例えば胸部に接触させてもよい。従って、接触情報は、脈波検出部位と脈波測定部１２０との接触状態に関する情報（接触有無、押圧する強さ等）を間接的に含んでもよい。従って、ステップＳ３１１において、測定状態判断部２５０は、接触情報に基づいて、脈波に関するデータが適切に測定されているかどうかを判断することができる。具体的には、測定状態判断部２５０は、接触情報に含まれる、電極１１１ａと電極１１１ｂとの間の抵抗値に応じて、例えば、その抵抗値が予め設定されたしきい値（第２のしきい値）よりも小さいかどうかで、被測定者の脈波に関するデータが適切に測定されているかどうかを判断してもよい。
【０１３２】
ここで、上記第１のしきい値、及び上記第２のしきい値は、同一の値であってもよいし、互いに異なる値であってもよい。また、第１のしきい値、及び第２のしきい値は、例えば、ステップＳ３０５におけるｒ１であってもよいし、異なる他の値であってもよい。第１のしきい値、及び第２のしきい値は、特に限定されるものではないが、例えば、統計的に取得された過去の測定データ等に基づいて、適宜設定することができる。また、第１のしきい値、及び第２のしきい値は、被測定者が、測定を開始する前に自由に設定してもよい。
【０１３３】
また、ステップＳ３１１において、測定状態判断部２５０は、接触情報のほかに、測定された被測定者の心電に関するデータ、及び／又は脈波に関するデータを、過去に測定されたデータと比較することで、これらのデータの信頼度を判断してもよい。例えば、測定された被測定者の心電に関するデータ、及び／又は脈波に関するデータが、過去に測定されたデータと著しく異なる場合には、測定状態判断部２５０は、測定が適切に行われていないと判断することができる。
【０１３４】
ステップＳ３１１で、被測定者の心電に関するデータ、及び／又は脈波に関するデータが適切に測定されていないと判断された場合、測定制御部２６０により、心電測定、及び／又は脈波測定が終了される。計測装置１０、２０は電源待機状態に移行し、ステップＳ３０７においてＬＥＤ１０４、３０４が点灯されていた場合には、ＬＥＤ１０４、３０４が消灯されてもよい（ステップＳ３１３）。その後は、ステップＳ３０３に戻り、再び電極１１１ａ、及び電極１１１ｂと、被測定者の皮膚との接触が検知されるまで待機する。
【０１３５】
ステップＳ３１１で、被測定者の心電に関するデータ、及び／又は脈波に関するデータが適切に測定されたと判断された場合、被測定者に、測定が適切に行われていることが通知される。例えば、表示制御部２３０が、ＬＥＤ１０４、３０４を被測定者の心電波形のＲ波の周期に合わせて点滅させてもよい（ステップＳ３１５）。また、表示部４００がディスプレイを有する場合には、そのディスプレイに、測定された心電に関するデータ、及び／又は脈波に関するデータ等が、数値、グラフ等で表示されてもよい。
【０１３６】
次に、ステップＳ３１７では、測定された心電に関するデータ、及び脈波に関するデータに基づいて、血圧算出部２２０が、被測定者の脈波伝播速度（時間）を算出する。また、ステップＳ３１９では、算出された脈波伝播速度（時間）に基づいて、血圧算出部２２０が、被測定者の血圧を算出する。脈波伝播速度（時間）、及び血圧の算出方法については、［２．２．血圧算出方法］で説明したので、ここでは詳細な説明は省略する。ここで、ステップＳ３１９で算出された血圧値は、表示制御部２３０の制御により、表示部４００のディスプレイ等に表示されてもよい。また、ステップＳ３１９で算出された血圧値は、記憶部３００、及び／又は外部記憶部に格納されてもよい。更に、ステップＳ３１９で算出された血圧値は、通信部を介して外部機器に送信されてもよい。
【０１３７】
ステップＳ３１９で血圧値が算出されると、ステップＳ３２１では、接触情報に基づいて、測定制御部２６０が、電極１１１ａと電極１１１ｂとの間の抵抗値が、ある時間ｔ３の間、あるしきい値ｒ３以上かどうかを判定する（ステップＳ３２１）。電極１１１ａと電極１１１ｂとの間の抵抗値が、ある時間ｔ３の間、あるしきい値ｒ３以上であると判断された場合、測定制御部２６０は、電極１１１ａ、及び電極１１１ｂが被測定者の胸部測定部位から離れたと判断し、胸部接触用測定部１００による測定を終了する。測定が終了した場合、計測装置１０、２０は電源待機状態に移行し、ＬＥＤ１０４、３０４が点滅している場合には、ＬＥＤ１０４、３０４が消灯されてもよい。ここで、計測装置１０、２０を電源待機状態に移行する制御は、例えば制御部２００により行われる。
【０１３８】
ステップＳ３２１で、電極１１１ａと電極１１１ｂとの間の抵抗値が、ある時間ｔ３の間、あるしきい値ｒ３以上でないと判断された場合、測定制御部２６０は、電極１１１ａ、及び電極１１１ｂが被測定者の胸部測定部位に接触したままであると判断し、ステップＳ３０９に戻り、胸部接触用測定部１００による測定が行われ、血圧が再度測定される。
【０１３９】
以上、図１３を参照して、本開示の第１の実施形態、及び第２の実施形態に係る計測方法の血圧測定処理手順について説明したが、本開示の第１の実施形態、及び第２の実施形態に係る計測方法の血圧測定処理手順は、この例に限定されない。例えば、図１３に示す例では、ステップＳ３０９、ステップＳ３１１において、被測定者の心電に関するデータ、及び脈波に関するデータが同時に測定され、各測定データの信頼度も同時に判断されているが、これらは別々に測定され、別々に信頼度が判断されてもよい。心電に関するデータ、及び脈波に関するデータが別々に測定される場合、以下のような血圧測定処理手順が考えられる。例えば、被測定者は、まず、計測装置１０、２０の心電測定部１１０を胸部に接触させ、かつ脈波検出部位を脈波測定部１２０に接触させない状態で、心電測定のみを行い、心電に関するデータが適切に測定されているかどうかを確認する。次に、心電測定が適切に行われていると判断された後に、被測定者は、脈波検出部位、例えば指を脈波測定部１２０に接触させ、脈波測定を行ってもよい。このように心電測定、及び脈波測定を順番に行うことで、心電測定、及び／又は脈波測定が適切に行われていない場合に、どちらの測定に問題があったのかが明確になる。ここで、心電測定、及び脈波測定を順番に行う場合であっても、血圧の算出に用いられる心電に関するデータ、及び脈波に関するデータは、ほぼ同時に測定されたものであることが好ましい。
【０１４０】
また、時間ｔ１、ｔ２、ｔ３、及びしきい値ｒ１、ｒ３は、例えば、統計的に取得された過去の測定データ等に基づいて、適宜設定されてよい。例えば、ｔ１＝２（秒）、ｔ２＝３（秒）、ｔ３＝１０（秒）であってもよい。また、しきい値ｒ１、ｒ３は、同一の値であってもよく、互いに異なる値であってもよい。更に、しきい値ｒ１、ｒ３は、例えば、第１のしきい値、又は第２のしきい値と同じ値であってもよい
【０１４１】
＜５．第１の実施形態、及び第２の実施形態における変形例＞
［５．１．胸部接触用測定部における変形例］
次に、本開示に係る第１の実施形態、及び第２の実施形態における変形例について説明する。まず、図１４、図１５を参照して、胸部接触用測定部の異なる構成例について説明する。
【０１４２】
図１４は、本開示の第１の実施形態、及び第２の実施形態に係る計測装置の異なる構成の一例を示す機能ブロック図である。図１５は、図１４に示す計測装置の胸部接触用測定部の概略構成を示す機能ブロック図である。
【０１４３】
図１４を参照すると、本実施形態に係る計測装置３０は、例えば、胸部接触用測定部１００ａ、制御部２００、記憶部３００、及び表示部４００を備える。ここで、図１４に示す計測装置３０は、胸部接触用測定部１００ａの機能、及び構成以外は、図２に示す計測装置１０と同様であるため、以下では、主にその相違点についてだけ説明を行い、その他の構成に関する詳細な説明は省略する。
【０１４４】
図１５を参照すると、本実施形態に係る胸部接触用測定部１００ａは、心電測定部１１０、脈波測定部１２０、体表面温度測定部１３０、及び心音測定部１４０を備える。ここで、心電測定部１１０、及び脈波測定部１２０の機能、及び構成は、図２、及び図３に示す心電測定部１１０、及び脈波測定部１２０と同様であるため、説明は省略する。従って、以下では、図１５を参照して、体表面温度測定部１３０、及び心音測定部１４０の概略構成について説明する。
【０１４５】
図１５を参照すると、体表面温度測定部１３０は、例えば、サーモパイルセンサ１３１、温度信号生成部１３３、及びＡＤコンバータ１３４から構成される。
【０１４６】
サーモパイルセンサ１３１は、対象物から放射される赤外線を検知し、その赤外線の入射エネルギー量に応じた熱起電力を発生する、熱型の赤外線センサである。ここで、サーモパイルセンサ１３１は、例えば、赤外線センサ１３２ａ、及び基準温度センサ１３２ｂから構成される。赤外線センサ１３２ａは、対象物から放射される赤外線を検知し、基準温度センサ１３２ｂは、周囲の温度を測定するためのセンサである。サーモパイルセンサ１３１は、例えば、測定された赤外線センサ１３２ａの出力信号と基準温度センサ１３２ｂの出力信号との差分を、温度信号生成部１３３に入力する。
【０１４７】
温度信号生成部１３３は、赤外線センサ１３２ａの出力信号と基準温度センサ１３２ｂの出力信号とに基づいて、対象物の温度を算出することができる。また、温度信号生成部１３３は、対象物の温度を算出するための演算回路に加えて、更に増幅回路等の他の回路を含んでもよい。温度信号生成部１３３は、算出した対象物の温度に関する信号を、ＡＤコンバータ１３４に入力する。
【０１４８】
ＡＤコンバータ１３４は、温度信号生成部１３３から入力された対象物の温度に関するアナログ信号をデジタル信号に変換し、制御部２００の生体情報取得部２１０に送信する。生体情報取得部２１０に送信された対象物の温度に関する情報は、記憶部３００、又は外部記憶部に記憶されてもよいし、通信部を介して外部機器に送信されてもよい。
【０１４９】
また、図１５を参照すると、心音測定部１４０は、例えば、マイクロフォン１４１、マイクアンプ１４２、バンドパスフィルタ１４３、及びＡＤコンバータ１４４から構成される。
【０１５０】
マイクロフォン１４１は、例えば、コンデンサ型のマイクロフォンであり、心音に関する信号をマイクアンプ１４２に入力する。
【０１５１】
マイクアンプ１４２は、入力された心音に関する信号を増幅し、バンドパスフィルタ１４３に入力する。バンドパスフィルタ１４３は、入力された心音に関する信号から所望の帯域以外の周波数成分を除去して、ＡＤコンバータ１４４に入力する。ここで、マイクアンプ１４２のゲイン、及びバンドパスフィルタ１４３のカットオフ帯域等は、心音に関する測定データの精度や、その後の信号処理方法等を考慮して、適宜設定されてよい。
【０１５２】
ＡＤコンバータ１４４は、バンドパスフィルタ１４３から入力された心音に関するアナログ信号をデジタル信号に変換し、制御部２００の生体情報取得部２１０に送信する。生体情報取得部２１０に送信された心音に関する情報は、記憶部３００、又は外部記憶部に記憶されてもよいし、通信部を介して外部機器に送信されてもよい。
【０１５３】
また、図１６に示すように、体表面温度測定部１３０、及び心音測定部１４０の検出部は、例えば、計測装置３０の、心電測定用の電極が設けられる面に設けられてもよい。図１６は、図１４における計測装置３０の外観例を示すための背面図である。
【０１５４】
図１６を参照すると、本実施形態に係る計測装置３０の背面には、心電測定用の電極コネクタ部１０１、１０２に加えて、例えば、体表面温度測定用検出窓２０１、及び心音測定用検出窓２０２が設けられている。体表面温度測定用検出窓２０１は、図１５におけるサーモパイルセンサ１３１に対応するものであり、心音測定用検出窓２０２は、図１５におけるマイクロフォン１４１に対応するものである。従って、被測定者の心電に関するデータを測定するために、計測装置３０の背面の電極が被測定者の胸部測定部位に接触する際に、体表面温度測定用検出窓２０１、及び心音測定用検出窓２０２も被測定者の胸部に接触する。つまり、心電に関するデータを測定する際に、同時に、被測定者の体表面温度に関するデータ、及び心音に関するデータを測定することができる。また、図示しないが、心電測定用の電極が湿式電極である場合には、体表面温度測定用検出窓２０１、及び心音測定用検出窓２０２に対応する位置には、図９Ｃに示す粘着部５０８が設けられないように構成されてもよい。
【０１５５】
以上説明したように、第１の実施形態、及び第２の実施形態に係る計測装置１０、２０の異なる構成例である計測装置３０では、胸部接触用測定部１００ａが、心電測定部１１０、脈波測定部１２０、体表面温度測定部１３０、及び心音測定部１４０を備える。そして、心電測定、及び脈波測定に加えて、被測定者の体表面温度に関するデータ（体表面温度情報）、及び心音に関するデータ（心音情報）を測定することができる。これら、体表面温度情報、及び心音情報は、例えば、キャリブレーションを行う際に利用されてもよい。体表面温度情報、及び心音情報を、キャリブレーションを行う際に利用することで、脈波伝播速度と収縮血圧値との間の直線関係（Ｐ＝ａＶ＋ｂ）をより精度良く求めることが可能になる。ここで、心電測定部１１０、脈波測定部１２０、体表面温度測定部１３０、及び心音測定部１４０は、一体的に構成されてもよい。
【０１５６】
以上、図１４、及び図１５を参照して、本実施形態に係る計測装置３０の機能の一例、特に胸部接触用測定部１００ａの機能の一例について詳細に説明した。また、図１６を参照して、図１４に示す計測装置３０の外観例について説明した。ここで、図１４、及び図１５に示す各構成要素は、汎用的な部材や回路を用いて構成されていてもよいし、各構成要素の機能に特化したハードウェアにより構成されていてもよい。
【０１５７】
また、図１５を参照して、体表面温度測定部１３０、及び心音測定部１４０の回路構成について詳細に説明したが、これらの回路構成は図示した例に限定されない。体表面温度測定部１３０、及び心音測定部１４０の回路構成は、上記説明した所望の機能を実現できる限りにおいて適宜変更可能である。
【０１５８】
［５．２．計測装置の構成における変形例］
次に、本開示の第１の実施形態、及び第２の実施形態に係る計測装置の構成における変形例について説明する。上記の説明においては、本開示の第１の実施形態、及び第２の実施形態に係る計測装置が一体型の装置である場合について説明したが、本技術はこの例に限定されない。本開示の第１の実施形態、及び第２の実施形態に係る計測装置は、その機能に応じて複数の装置で構成されてもよい。本開示の第１の実施形態、及び第２の実施形態に係る計測装置が複数の装置で構成される場合のシステム例を、図１７を参照して説明する。
【０１５９】
図１７は、本開示の第１の実施形態、及び第２の実施形態に係る計測システム５０の概略構成を示す機能ブロック図である。図１７を参照すると、本開示の第１の実施形態、及び第２の実施形態に係る計測システム５０は、例えば、測定装置１１００、演算サーバ１２００、記憶部１３００、表示部１４００、及びネットワーク１５００、１６００から構成される。ここで、測定装置１１００、及び演算サーバ１２００は、ネットワーク１５００を介して互いに通信可能に構成されてもよい。また、演算サーバ１２００、記憶部１３００、及び表示部１４００は、ネットワーク１６００を介して互いに通信可能に構成されてもよい。更に、記憶部１３００、及び表示部１４００の機能、及び構成は、図２、及び図１４における記憶部３００、及び表示部４００と同様であるため、詳細な説明は省略する。
【０１６０】
測定装置１１００は、例えば、胸部接触用測定部１１１０、及び測定データ通信部１１２０を有する。ここで、胸部接触用測定部１１１０の機能、及び構成は、図２、図３、図１４、及び図１５における胸部接触用測定部１００、又は胸部接触用測定部１００ａと同様であるため、詳細な説明は省略する。
【０１６１】
測定データ通信部１１２０は、胸部接触用測定部１１１０が測定した各種のデータを、ネットワーク１５００を介して、後述する演算サーバ１２００の通信部１２２０に送信する。ここで、測定データ通信部１１２０が送信する各種のデータとは、例えば、心電情報、脈波情報、接触情報、体表面温度情報、及び／又は心音情報等であってよい。
【０１６２】
演算サーバ１２００は、例えば、制御部１２１０、及び通信部１２２０を有する。通信部１２２０は、ネットワーク１５００を介して、測定装置１１００と相互に通信を行うことができる。また、通信部１２２０は、ネットワーク１６００を介して、記憶部１３００、及び表示部１４００と相互に通信を行うことができる。通信部１２２０は、例えば、測定データ通信部１１２０から送信された各種のデータを受信し、制御部１２１０に送信する。
【０１６３】
制御部１２１０は、受信した各種データに基づいて、被測定者の血圧を算出する等の処理を行う。また、制御部１２１０は、受信した各種データに基づいて、測定装置１１００による測定の制御を行う。制御部１２１０の機能、及び構成は、図２、及び図１４における制御部２００と同様であるため、詳細な説明は省略する。制御部１２１０は、処理した結果や各種制御の命令等を、通信部１２２０に送信する。
【０１６４】
通信部１２２０は、制御部１２１０によって処理された結果や各種制御の命令等を、例えば、測定装置１１００の測定データ通信部１１２０、記憶部１３００、及び／又は表示部１４００に送信する。
【０１６５】
以上、図１７を参照して、本開示の第１の実施形態、及び第２の実施形態に係る計測システム５０について説明した。図１７に示すように、本開示の第１の実施形態、及び第２の実施形態に係る計測装置が複数の装置から構成されることにより、以下の効果を得ることができる。
【０１６６】
例えば、外出先で血圧を測定したい場合には、被測定者は、測定装置１１００のみを携帯して外出すればよく、その他の演算サーバ１２００、記憶部１３００、及び表示部１４００は、例えばサーバセンタ、自宅等に設置されてよい。測定装置１１００は生体活動に関するデータを測定する構成を有すればよいため、全ての機能が一体化されている場合に比べ、小型、軽量化でき、より携帯性に優れる。
【０１６７】
また、例えば、表示部１４００が、被測定者の遠隔地にいる家族の居所に設置されることで、被測定者の家族は、遠隔地にいながらにして、被測定者の測定結果を知ることが可能になる。また、例えば表示部１４００は複数存在し、１つは被測定者がすぐに結果を確認することが可能な場所に設置され、別の１つは遠隔地にいる家族の居所に設置されてもよい。
【０１６８】
［５．３．計測装置の使用方法における変形例］
次に、本開示の第１の実施形態、及び第２の実施形態に係る計測装置の使用方法における変形例について説明する。上記の説明においては、本開示の第１の実施形態、及び第２の実施形態に係る計測装置を胸部に接触させて血圧を測定する場合について説明したが、本技術はこの例に限定されない。例えば、計測装置を被測定者が両手で保持することで、血圧を測定することも可能である。計測装置を被測定者が両手で保持して血圧を測定する方法を、図１８Ａ〜Ｃを参照して説明する。
【０１６９】
図１８Ａは、本開示の第１の実施形態、及び第２の実施形態に係る計測装置４０を被測定者が両手で保持した様子を示す概略図、図１８Ｂは、図１８Ａにおける被測定者の手元を被測定者側から見た様子を示す拡大図、図１８Ｃは、図１８Ａにおける被測定者の手元を被測定者と逆側から見た様子を示す拡大図である。
【０１７０】
図１８Ａを参照すると、本開示の第１の実施形態、及び第２の実施形態に係る計測装置４０は、例えば、ひも状部材を備え、当該ひも状部材によって、被測定者の頸部からぶら下げられている。被測定者は、頸部からぶら下げられた計測装置４０を両手で保持することで、血圧を測定することができる。
【０１７１】
図１８Ｂを参照すると、計測装置４０の正面には、例えば測定結果を表示するためのディスプレイ４０１、及び脈波測定用検出窓４０２が設けられている。ここで、ディスプレイ４０１は、例えば、図２、及び図１４における表示部４００に対応する。また、脈波測定用検出窓４０２は、例えば、図８Ｂにおける脈波測定用検出窓１０３に対応する。図１８Ｂに示すように、被測定者が、計測装置４０を保持しながら、例えば右手の親指を脈波測定用検出窓４０２に接触させることで、被測定者の脈波に関するデータが測定される。
【０１７２】
図１８Ｃを参照すると、計測装置４０の背面には、例えば２つの電極４０３ａ、４０３ｂが設けられている。ここで、電極４０３ａ、４０３ｂは、図３、及び図１５における電極１１１ａ、１１１ｂに対応する。図１８Ｃに示すように、被測定者が、計測装置４０を保持しながら、例えば右手の人差し指、左手の人差し指を、電極４０３ａ、４０３ｂにそれぞれ接触させることで、被測定者の心電に関するデータが測定される。これら、被測定者の心電に関するデータ、及び脈波に関するデータに基づいて、被測定者の血圧が算出される。
【０１７３】
［５．４．その他の変形例］
以上説明した変形例以外にも、本開示の第１の実施形態、及び第２の実施形態に係る計測装置は、以下の構成を有してもよい。
【０１７４】
例えば、上記の説明においては、心電測定部と被測定者の胸部測定部位との接触状態を、電極間の抵抗値によって判断していたが、本技術はこの例に限定されない。心電測定部と胸部測定部位との接触有無、及び心電測定部が胸部測定部位に押圧される強さ等を検知することができれば、他の構造、方法が用いられてもよい。例えば、心電測定部の胸部測定部位との接触面に圧電素子を設け、心電測定部が胸部測定部位に押圧されることで当該圧電素子が発生させる電圧に基づいて、心電測定部と胸部測定部位との接触状態が判断されてもよい。
【０１７５】
また、例えば、上記の説明においては、脈波検出部位が指である場合を例に挙げて説明したが、本技術はこの例に限定されない。脈波検出部位は指以外でもあってもよく、被測定者の体の一部であればどの部位であってもよい。ただし、脈波検出部位は、心電測定が行われる胸部測定部位とはある程度離れた部位であることが好ましい。脈波検出部位が指以外である場合、脈波測定部は、信号送受信用のケーブル等を介して胸部接触用測定部から脱着可能に構成され、脈波測定部が当該脈波検出部位に接触することで脈波が測定されてもよい。例えば、脈波検出部位が耳であり、かつ、図１０Ａ、及び図１２に示すように、計測装置が、ひも状部材でぶら下げられる場合には、信号送受信用のケーブルをひも状部材と一体化する、又はひも状部材に沿うように配設することで、脈波測定部を耳近傍に自然に保持することができる。
【０１７６】
また、例えば、上記の説明においては、図４、及び図５に示すように、心電波形と脈波とを用いて脈波伝播時間（速度）を求める方法について説明したが、本技術はこの例に限定されない。例えば、心電情報、及び脈波情報は、図４、及び図５に示すような波形の状態で管理されなくてもよい。脈波伝播時間（速度）を求めるためには、心電波形、及び脈波の立ち上がり位置（時刻Ｔ１、Ｔ２）に関する情報があればよいので、例えば、心電波形、及び脈波の立ち上がり位置のみを、心電情報、及び脈波情報として管理してもよい。心電情報、及び脈波情報として、心電波形、及び脈波の立ち上がり位置のみを管理することで、記憶される情報量の低減を図ることができる。
【０１７７】
また、例えば、上記の説明においては、図３に示すように、心電測定部が電極を２つ有する場合を例に挙げて説明したが、本技術はこの例に限定されない。心電測定用の電極の数は、２つ以上の任意の数設けられてもよい。電極の数が２つよりも多い場合は、それらの電極の中から選択された任意の２つの電極間の電位差が順番にスキャンされ、その中で最も適切に測定できていると判断された電位差が、心電情報として採用されるようにしてもよい。このような方法を用いることで、心電測定の正確性をより高めることができる。
【０１７８】
＜６．計測装置のハードウェア構成＞
次に、図１９を参照しながら、本開示の第１の実施形態、及び第２の実施形態に係る計測装置１０、２０、３０、４０のハードウェア構成について、詳細に説明する。図１９は、本開示の実施形態に係る計測装置１０、２０、３０、４０のハードウェア構成の一例を説明するための機能ブロック図である。
【０１７９】
計測装置１０、２０、３０、４０は、例えば、ＣＰＵ９０１、ＲＯＭ９０３、及びＲＡＭ９０５を備える。また、計測装置１０、２０、３０、４０は、例えば、ホストバス９０７、ブリッジ９０９、外部バス９１１、インターフェース９１３、センサ９１４、入力装置９１５、出力装置９１７、ストレージ装置９１９、記録媒体用接続ポート９２１、外部機器用接続ポート９２３、及び通信装置９２５を更に備える。
【０１８０】
ＣＰＵ９０１は、例えば、演算処理装置および制御装置として機能し、ＲＯＭ９０３、ＲＡＭ９０５、ストレージ装置９１９、又は後述するリムーバブル記録媒体９２７に記録された各種プログラムに従って、計測装置１０、２０、３０、４０の動作全般、又はその一部を制御する。ＣＰＵ９０１は、本開示の第１の実施形態、及び第２の実施形態においては、例えば、制御部２００に対応する。ＲＯＭ９０３は、例えば、ＣＰＵ９０１が使用するプログラムや演算パラメータ等を記憶する。ＲＡＭ９０５は、例えば、ＣＰＵ９０１が使用するプログラムや、プログラムの実行において適宜変化するパラメータ等を一次記憶する。ＣＰＵ９０１、ＲＯＭ９０３、及びＲＡＭ９０５は、例えば、ＣＰＵバス等の内部バスにより構成されるホストバス９０７により相互に接続されている。
【０１８１】
ホストバス９０７は、例えば、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。また、外部バス９１１には、例えば、インターフェース９１３を介して、センサ９１４、入力装置９１５、出力装置９１７、ストレージ装置９１９、記録媒体用接続ポート９２１、外部機器用接続ポート９２３、及び通信装置９２５が接続される。
【０１８２】
ここで、インターフェース９１３は、ブリッジ９０９及び外部バス９１１を介さずに、ホストバス９０７に直接接続されてもよい。つまり、内部バスに各種のインターフェース、例えば、センサ９１４、入力装置９１５、出力装置９１７、ストレージ装置９１９、記録媒体用接続ポート９２１、外部機器用接続ポート９２３、及び通信装置９２５が直接接続されてもよい。インターフェース９１３がホストバス９０７に直接接続される場合、例えば、計測装置１０、２０、３０、４０は、小型組み込みハードウェアとして構成され得る。
【０１８３】
センサ９１４は、例えば、被測定者の生体活動に関する各種のデータを測定するための生体センサである。ここで、センサ９１４は、本開示の第１の実施形態、及び第２の実施形態においては、例えば、心電測定部１１０、脈波測定部１２０、体表面温度測定部１３０、及び心音測定部１４０に対応する。また、センサ９１４は、上述のもの以外にも、気圧計、湿度計などの様々な測定機器を備えていてもよい。
【０１８４】
また、図２、及び図１４に示す実施例では図示しなかったが、計測装置１０、２０、３０、４０は、被測定者、又はユーザが、計測装置１０、２０、３０、４０を操作するための入力装置９１５を更に備えてもよい。入力装置９１５は、例えば、マウス、キーボード、タッチパネル、ボタン、スイッチ、及びレバー等であってよい。また、入力装置９１５は、例えば、赤外線やその他の電波を利用したリモートコントロール手段（いわゆる、リモコン）であってもよいし、計測装置１０、２０、３０、４０の操作に対応した携帯電話やＰＤＡ等の外部接続機器９２９であってもよい。さらに、入力装置９１５は、例えば、上記の操作手段を用いて被測定者、又はユーザにより入力された情報に基づいて入力信号を生成し、ＣＰＵ９０１に出力する入力制御回路などから構成されている。被測定者、又はユーザは、この入力装置９１５を操作することにより、計測装置１０、２０、３０、４０に対して各種のデータを入力したり、処理動作を指示したりすることができる。
【０１８５】
出力装置９１７は、例えば、取得した情報をユーザに対して視覚的に通知することが可能な装置で構成される。ここで、出力装置９１７は、本開示の第１の実施形態、及び第２の実施形態においては、例えば、表示部４００に対応する。例えば、出力装置９１７は、ＣＲＴディスプレイ装置、液晶ディスプレイ装置、プラズマディスプレイ装置、ＥＬディスプレイ装置、及びランプ等の表示装置であってよい。出力装置９１７は、例えば、計測装置１０、２０、３０、４０が行った各種処理により得られた結果を、テキスト、又はイメージの形式で表示してもよい。また、出力装置９１７は、例えば、スピーカ等の音声出力装置であってもよく、測定に応じたアラーム音等を当該スピーカから出力してもよい。
【０１８６】
ストレージ装置９１９は、計測装置１０、２０、３０、４０の記憶部の一例として構成されるデータ格納用の装置である。ここで、ストレージ装置９１９は、本開示の第１の実施形態、及び第２の実施形態においては、例えば、記憶部３００に対応する。ストレージ装置９１９は、例えば、ＨＤＤ（Ｈａｒｄ  Ｄｉｓｋ  Ｄｒｉｖｅ）等の磁気記憶デバイス、半導体記憶デバイス、光記憶デバイス、又は光磁気記憶デバイス等であってよい。ストレージ装置９１９は、ＣＰＵ９０１が実行するプログラムや各種データ、および外部から取得した各種データなどを格納することができる。
【０１８７】
また、図２、及び図１４に示す実施例では図示しなかったが、計測装置１０、２０、３０は、記録媒体用接続ポート９２１、外部機器用接続ポート９２３、及び通信装置９２５を更に備えてもよい。記録媒体用接続ポート９２１は、記録媒体用リーダライタであり、例えば、計測装置１０、２０、３０、４０に内蔵、あるいは外付けされる。記録媒体用接続ポート９２１は、リムーバブル記録媒体９２７に記録されている情報を読み出して、ＲＡＭ９０５に出力することができる。また、記録媒体用接続ポート９２１は、リムーバブル記録媒体９２７に情報を書き込むことも可能である。ここで、記録媒体用接続ポート９２１は、本開示の第１の実施形態、及び第２の実施形態においては、例えば、［２．１．計測装置の構成］で説明した接続ポートに対応する。
【０１８８】
ここで、記録媒体用接続ポート９２１に接続されるリムーバブル記録媒体９２７は、例えば、磁気ディスク、光ディスク、光磁気ディスク、または半導体メモリ等であってよい。より具体的には、リムーバブル記録媒体９２７は、例えば、ＤＶＤメディア、ＨＤ−ＤＶＤメディア、Ｂｌｕ−ｒａｙメディア、コンパクトフラッシュ（登録商標）（ＣｏｍｐａｃｔＦｌａｓｈ：ＣＦ）、フラッシュメモリ、又は、ＳＤメモリカード（Ｓｅｃｕｒｅ  Ｄｉｇｉｔａｌ  ｍｅｍｏｒｙ  ｃａｒｄ）等であってもよい。また、リムーバブル記録媒体９２７は、例えば、非接触型ＩＣチップを搭載したＩＣカード（Ｉｎｔｅｇｒａｔｅｄ  Ｃｉｒｃｕｉｔ  ｃａｒｄ）、又は電子機器等であってもよい。
【０１８９】
外部機器用接続ポート９２３は、外部機器を計測装置１０、２０、３０、４０に直接接続するためのポートである。外部機器用接続ポート９２３は、例えば、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート、ＲＳ−２３２Ｃポート、光オーディオ端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ポート等であってよい。この外部機器用接続ポート９２３に外部接続機器９２９を接続することで、計測装置１０、２０、３０、４０は、外部接続機器９２９から直接各種データを取得したり、外部接続機器９２９に各種データを提供したりすることができる。
【０１９０】
通信装置９２５は、例えば、ネットワーク９３１に接続するための通信デバイス等で構成された通信インターフェースである。ここで、通信装置９２５は、本開示の第１の実施形態、及び第２の実施形態においては、例えば、［２．１．計測装置の構成］で説明した通信部に対応する。具体的には、通信装置９２５は、例えば、有線もしくは無線ＬＡＮ（Ｌｏｃａｌ  Ａｒｅａ  Ｎｅｔｗｏｒｋ）、Ｂｌｕｅｔｏｏｔｈ（登録商標）、またはＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、又は各種通信用のモデム等であってよい。通信装置９２５は、例えば、インターネットや他の通信機器との間で、ＴＣＰ／ＩＰ等の所定のプロトコルに則して信号等を送受信することができる。また、通信装置９２５に接続されるネットワーク９３１は、有線、又は無線によって接続されたネットワークであり、例えば、インターネット、家庭内ＬＡＮ、赤外線通信、ラジオ波通信、又は衛星通信等であってよい。
【０１９１】
以上、本開示の実施形態に係る計測装置１０、２０、３０、４０の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【０１９２】
なお、上述のような本実施形態に係る計測装置１０、２０、３０、４０、及び計測システム５０の各機能を実現するためのコンピュータプログラムを作製し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【０１９３】
＜７．まとめ＞
以上説明したように、本開示の第１の実施形態、及び第２の実施形態に係る計測装置、計測方法、プログラム、記憶媒体、及び計測システムでは、以下の効果を得ることができる。
【０１９４】
まず、本開示の第１の実施形態、及び第２の実施形態に係る計測装置においては、胸部に接触された心電測定部により心電に関するデータが測定され、脈波測定部により脈波に関する測定データが測定される。また、血圧算出部が、それら心電情報及び、脈波情報に基づいて、被測定者の血圧値を算出する。以上の構成を有することで、心電測定が胸部測定部位で行われるため、心電測定、及び血圧測定を、より正確に行うことが可能になる。
【０１９５】
また、本開示の第１の実施形態、及び第２の実施形態に係る計測装置においては、接触情報取得部が、心電測定部と胸部測定部位との接触状態に関する情報である接触情報を取得する。また、制御部が、接触情報に基づいて、例えば、心電測定用の電極と胸部測定部位との接触有無に基づいて、計測装置を電源待機状態から復帰する制御、及び計測装置を電源待機状態に移行する制御を行う。従って、測定が行われない間は計測装置を電源待機状態に保つことができ、消費電力を低減することができる。
【０１９６】
また、測定状態判断部が、少なくとも接触情報に基づいて、心電情報の信頼度、及び脈波情報の信頼度の少なくともいずれかを判断する。心電に関する測定データ、脈波に関する測定データ等の生体活動に関わる測定データは、心電測定用の電極と胸部測定部位との接触状態、及び脈波検出部位と脈波測定用検出窓との接触状態によって、変動してしまう可能性がある。従って、接触情報に基づいて判断された信頼度に応じて、これらの接触状態（接触位置、押圧強さ等）を適宜調整することで、心電測定、及び／又は脈波測定の正確性を向上させることができる。従って、心電測定、及び血圧測定を、より正確に行うことが可能になり、より正確な血圧の測定が実現される。
【０１９７】
また、本開示の第１の実施形態、及び第２の実施形態に係る計測装置においては、心電測定部１１０及び脈波測定部１２０が、一体的に構成されてもよい。そして、被測定者が、脈波検出部位で脈波測定用検出窓に触れながら、計測装置を胸部に押圧することで、心電に関するデータ、及び脈波に関するデータが同時に測定され、被測定者の血圧が算出される。従って、心電測定部が胸部測定部位に確実に押圧されるため、心電測定をより正確に行うことができる。また、被測定者は、計測装置１０を、ひも状部材で被測定者の胸部測定部位近傍にぶら下げた状態、又は心電測定用の湿式電極によって胸部測定部位に貼り付けられた状態で携帯することができるので、計測装置を胸部測定部位近傍に保持した状態で日常的に持ち運ぶことができ、気軽に血圧測定を行うことができる。従って、より優れたユーザの利便性が実現される。
【０１９８】
また、特に、本開示の第２の実施形態に係る計測装置においては、計測装置の脈波測定用検出窓とカバーとの間に、脈波検出部位を挟むことで、脈波を測定することができる。以上の構成を有することで、脈波測定部位の位置が計測装置に対して固定されるため、脈波の測定をより精度良く行うことが可能になる。
【０１９９】
更に、本開示の第１の実施形態、及び第２の実施形態に係る計測装置は、胸部接触用測定部が、心電測定部、脈波測定部、体表面温度測定部、及び心音測定部を備えてもよい。測定された体表面温度に関するデータ、及び心音に関するデータを、キャリブレーションを行う際に利用することで、脈波伝播速度と収縮血圧値との間の直線関係（Ｐ＝ａＶ＋ｂ）をより精度良く求めることが可能になる。ここで、心電測定部、脈波測定部、体表面温度測定部、及び心音測定部は、一体的に構成されてもよい。
【０２００】
また、本開示の第１の実施形態、及び第２の実施形態に係る計測装置は、ウェアラブルな構成を有し、１つの装置によって、例えば心電、脈波、動脈血酸素飽和度、体表面温度、及び心音等の、被測定者の生体活動に関する測定データを同時に測定することができる。
【０２０１】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２０２】
なお、以下のような構成も本開示の技術的範囲に属する。
（１）被測定者の心電に関する心電情報と、被測定者の脈波に関する脈波情報と、に基づいて、血圧値を算出する血圧算出部と、被測定者の胸部に接触して前記心電を測定する心電測定部と、被測定者の脈波検出部位から前記脈波を測定する脈波測定部と、を有する胸部接触用測定部と、を備える、計測装置。
（２）前記心電測定部と胸部との接触状態に関する情報を含む接触情報を取得する接触情報取得部を更に備える、前記（１）に記載の計測装置。
（３）前記接触情報に基づいて、前記心電測定部による測定を制御する測定制御部を更に備える、前記（２）に記載の計測装置。
（４）少なくとも前記接触情報に基づいて、前記心電情報の信頼度及び前記脈波情報の信頼度の少なくともいずれかを判断する測定状態判断部を更に備える、前記（２）又は（３）に記載の計測装置。
（５）前記脈波測定部は、前記心電測定部と胸部との接触面と対向する面に設けられる、前記（１）〜（４）のいずれか１項に記載の計測装置。
（６）前記心電測定部は、少なくとも２つ以上の電極を有し、前記脈波測定部は、２つの前記電極の間に対応する位置に設けられる、前記（１）〜（５）のいずれか１項に記載の計測装置。
（７）前記心電測定部は、少なくとも２つ以上の電極を有し、前記接触情報は、少なくとも２つの前記電極間のインピーダンスに関する情報を含む、前記（２）〜（４）のいずれか１項に記載の計測装置。
（８）前記胸部接触用測定部は、被測定者の心音を測定する心音測定部、を更に有し、前記血圧算出部は、測定された前記心音に関する情報を更に利用して、血圧値を算出する、前記（１）〜（７）のいずれか１項に記載の計測装置。
（９）前記胸部接触用測定部は、被測定者の体表面温度を測定する体表面温度測定部、を更に有し、前記血圧算出部は、測定された前記体表面温度に関する情報を更に利用して、血圧値を算出する、前記（１）〜（８）のいずれか１項に記載の計測装置。
（１０）前記脈波は、脈波測定部の光照射部と光入射部との間に、前記脈波検出部位が挟まれることによって測定される、前記（１）〜（９）のいずれか１項に記載の計測装置。
（１１）前記心電測定部は、着脱自在な湿式電極を有する、前記（１）〜（１０）のいずれか１項に記載の計測装置。
（１２）前記心電測定部は、少なくとも２つ以上の着脱自在な乾式電極を有する、前記（１）〜（１０）のいずれか１項に記載の計測装置。
（１３）前記心電測定部と前記脈波測定部とは、一体的に構成される、前記（１）〜（１２）のいずれか１項に記載の計測装置。
（１４）前記脈波測定部は、前記胸部接触用測定部から着脱自在である、前記（１）〜（１２）のいずれか１項に記載の計測装置。
（１５）被測定者の脈波に関する脈波情報と、胸部に接触した心電測定部から入力された被測定者の心電に関する心電情報と、を取得することと、前記脈波情報と、前記心電情報と、に基づいて、血圧値を算出することと、を含む、計測方法。
（１６）コンピュータに、被測定者の心電に関する心電情報と、被測定者の脈波に関する脈波情報と、に基づいて、血圧値を算出する血圧算出機能と、被測定者の胸部に接触して前記心電を測定する心電測定部と、被測定者の脈波検出部位から前記脈波を測定する脈波測定部と、を有する胸部接触用測定機能と、を実現させるためのプログラム。
（１７）コンピュータに、被測定者の心電に関する心電情報と、被測定者の脈波に関する脈波情報と、に基づいて、血圧値を算出する血圧算出機能と、被測定者の胸部に接触して前記心電を測定する心電測定部と、被測定者の脈波検出部位から前記脈波を測定する脈波測定部と、を有する胸部接触用測定機能と、を実現させるためのプログラムを記録したコンピュータ読取可能な記録媒体。
（１８）被測定者の心電に関する心電情報と、被測定者の脈波に関する脈波情報と、に基づいて、血圧値を算出する血圧算出部と、被測定者の胸部に接触させ前記心電を測定する心電測定部と、被測定者の脈波検出部位から前記脈波を測定する脈波測定部と、を有する胸部接触用測定部と、を備える、計測システム。
（１９）被測定者の心電に関する心電情報と、被測定者の脈波に関する脈波情報と、に基づいて、血圧値を算出する血圧算出部、を有する演算サーバと、被測定者の胸部に接触して前記心電を測定する心電測定部と、被測定者の脈波検出部位から前記脈波を測定する脈波測定部と、を有する胸部接触用測定部、を備える測定装置と、を備える、計測システム。
【符号の説明】
【０２０３】
１０、２０、３０、４０    計測装置
５０    計測システム
１００、１００ａ    胸部接触用測定部
２００    制御部
３００    記憶部
４００    表示部
１１０    心電測定部
１２０    脈波測定部
１３０    体表面温度測定部
１４０    心音測定部
２１０    生体情報取得部
２２０    血圧算出部
２３０    表示制御部
２４０    接触情報取得部
２５０    測定状態判断部
２６０    測定制御部
１１００    測定装置
１２００    演算サーバ
【図１Ａ】
2014012072.tif 000003
【図１Ｂ】
2014012072.tif 000004
【図１Ｃ】
2014012072.tif 000005
【図２】
2014012072.tif 000006
【図３】
2014012072.tif 000007
【図４】
2014012072.tif 000008
【図５】
2014012072.tif 000009
【図６】
2014012072.tif 000010
【図７】
2014012072.tif 000011
【図８Ａ】
2014012072.tif 000012
【図８Ｂ】
2014012072.tif 000013
【図８Ｃ】
2014012072.tif 000014
【図８Ｄ】
2014012072.tif 000015
【図８Ｅ】
2014012072.tif 000016
【図９Ａ】
2014012072.tif 000017
【図９Ｂ】
2014012072.tif 000018
【図９Ｃ】
2014012072.tif 000019
【図９Ｄ】
2014012072.tif 000020
【図１０Ａ】
2014012072.tif 000021
【図１０Ｂ】
2014012072.tif 000022
【図１１Ａ】
2014012072.tif 000023
【図１１Ｂ】
2014012072.tif 000024
【図１１Ｃ】
2014012072.tif 000025
【図１１Ｄ】
2014012072.tif 000026
【図１２】
2014012072.tif 000027
【図１３】
2014012072.tif 000028
【図１４】
2014012072.tif 000029
【図１５】
2014012072.tif 000030
【図１６】
2014012072.tif 000031
【図１７】
2014012072.tif 000032
【図１８Ａ】
2014012072.tif 000033
【図１８Ｂ】
2014012072.tif 000034
【図１８Ｃ】
2014012072.tif 000035
【図１９】
2014012072.tif 000036